(57)【要約】【課題】複数のユーザに対して表示画像を表示する際、特定のユーザに対して特別な画像を視認可能に制御する。【解決手段】表示画像視認制御装置２ａは、表示画像に付加された権限情報に基づいて視認管理情報２２を参照することにより、画像視認手段に対して、ユーザに通常画像のみを視認させるための視認許可信号と、フレームレートで逐次更新して表示される表示画像をそのまま視認させる視認不可信号とのいずれか一方を送出する。画像視認手段は、視認許可信号を受信した場合、その視認許可信号に基づいて動作することにより、フレームレートで逐次更新して表示される表示画像のうちから通常画像のみをユーザに視認させる。また視認不可信号を受信した場合には、視認不可信号に基づいて動作することにより、フレームレートで逐次更新して表示される表示画像をそのままユーザに視認させる。【選択図】図８
2012242702.tif 000002
【特許請求の範囲】
【請求項１】
秘密情報を含む通常画像と、前記通常画像の少なくとも秘密情報が含まれる部分を反転させた反転画像とが１枚ずつ交互に配置され、前記通常画像を視認するための権限情報が付与された表示画像を取得する表示画像取得手段と、
前記表示画像に含まれる前記通常画像と前記反転画像とを所定のフレームレートで逐次更新しながら表示する表示手段と、
固有の識別情報が設定され、前記フレームレートに同期した動作を行うことが可能であり、前記表示手段によって表示される表示画像をユーザに視認させる画像視認手段と、
前記画像視認手段に設定される識別情報と前記表示画像に付与される権限情報とを対応付けた視認管理情報を予め記憶する記憶手段と、
前記表示画像取得手段により取得される前記表示画像に付加された権限情報に基づいて前記視認管理情報を参照することにより、前記画像視認手段に対して、ユーザに前記通常画像のみを視認させるための視認許可信号と、前記フレームレートで逐次更新して表示される表示画像をそのまま視認させる視認不可信号とのいずれか一方を送出する制御手段と、
を備え、
前記画像視認手段は、前記制御手段から送出される前記視認許可信号を受信した場合には、前記視認許可信号に基づいて動作することにより、前記フレームレートで逐次更新して表示される表示画像のうちから前記通常画像のみをユーザに視認させ、前記制御手段から送出される前記視認不可信号を受信した場合には、前記視認不可信号に基づいて動作することにより、前記フレームレートで逐次更新して表示される表示画像をそのままユーザに視認させることを特徴とする表示画像視認制御システム。
【請求項２】
前記視認管理情報には、複数のユーザのそれぞれに個別に割り当てられる前記画像視認手段に設定される識別情報と、前記通常画像のみを視認させるか否かの権限が設定された権限情報とが対応付けられており、
前記制御手段は、前記表示画像取得手段により取得される前記表示画像に対して付加された権限情報に基づいて前記視認管理情報を参照することにより、前記通常画像のみを視認する権限が設定された前記画像視認手段を特定し、その特定した前記画像視認手段に対して前記視認許可信号を送出することを特徴とする請求項１に記載の表示画像視認制御システム。
【請求項３】
前記制御手段は、前記通常画像のみを視認する権限が設定されていない前記画像視認手段に対し、前記視認不可信号を送出することを特徴とする請求項２に記載の表示画像視認制御システム。
【請求項４】
前記画像視認手段は、右目用シャッタと左目用シャッタと備え、前記右目用シャッタと前記左目用シャッタとを開閉駆動する眼鏡装置であり、
前記制御手段から送出される前記視認許可信号に基づいて、前記表示手段により前記通常画像が表示されるタイミングで前記右目用シャッタと前記左目用シャッタとを同時に開放することにより、前記フレームレートで逐次更新して表示される表示画像のうちから前記通常画像のみを視認可能とすることを特徴とする請求項１乃至３のいずれかに記載の表示画像視認制御システム。
【請求項５】
前記画像視認手段は、撮像手段と、前記撮像手段によって撮影された画像を表示する画像表示手段とを備える撮像装置であり、
前記制御手段から送出される前記視認許可信号に基づいて、前記撮像手段による撮影動作を制御すると共に、前記撮像手段によって撮影された画像の表示状態を制御することにより、前記フレームレートで逐次更新して表示される表示画像を撮影して得られる画像のうちから前記通常画像のみを前記画像表示手段に表示することを特徴とする請求項１乃至３のいずれかに記載の表示画像視認制御システム。
【請求項６】
前記撮像装置は、前記制御手段から送出される前記視認許可信号に基づいて、前記通常画像のみを前記画像表示手段に表示する際、前記通常画像のみを表示している表示状態であることを報知することを特徴とする請求項５に記載の表示画像視認制御システム。
【請求項７】
前記撮像装置は、前記撮像手段によって撮影された画像を所定の記憶媒体に記録する記録処理手段を更に備え、
前記記録処理手段は、前記制御手段から送出される前記視認許可信号に基づいて前記通常画像のみを前記画像表示手段に表示している状態のとき、前記記録媒体への画像の記録を禁止することを特徴とする請求項５又は６に記載の表示画像視認制御システム。
【請求項８】
前記表示手段に表示するための画像データを記憶する記憶手段と、
前記記憶手段に記憶された画像データに対して秘密領域を設定する秘密領域設定手段と、
前記記憶手段に記憶された画像データに対して前記秘密領域設定手段によって秘密領域が設定されている場合、当該画像データに基づいて前記通常画像を生成すると共に、当該画像データにおいて少なくとも秘密領域が設定されている部分を反転させて前記反転画像を生成することにより、前記表示画像を生成する表示画像生成手段と、
をさらに備え、
前記表示画像取得手段は、前記表示画像生成手段によって生成される表示画像を取得することを特徴とする請求項１乃至７のいずれかに記載の表示画像視認制御システム。
【請求項９】
前記記憶手段に記憶された画像データを読み出し、当該画像データに基づいて印刷出力を行う印刷出力手段をさらに備え、
前記印刷出力手段は、前記記憶手段に記憶された画像データに対して前記秘密領域設定手段によって秘密領域が設定されている場合、当該画像データにおいて少なくとも秘密領域が設定されている部分に対してマスク処理を施して印刷出力を行うことを特徴とする請求項８に記載の表示画像視認制御システム。
【請求項１０】
前記表示手段において右目用画像と左目用画像とを前記フレームレートで交互に表示するための画像データを記憶する記憶手段と、
前記記憶手段に記憶された画像データに対して秘密領域を設定する秘密領域設定手段と、
前記記憶手段に記憶された画像データに対して前記秘密領域設定手段によって秘密領域が設定されている場合、前記右目用画像と前記左目用画像のいずれか一方に基づいて前記通常画像と前記反転画像を生成すると共に、前記通常画像と前記反転画像とを１枚ずつ交互に配置した表示画像を生成する表示画像生成手段と、
を更に備え、
前記表示画像取得手段は、前記表示画像生成手段によって生成される表示画像を取得することを特徴とする請求項１乃至７のいずれかに記載の表示画像視認制御システム。
【請求項１１】
通常画像と、前記通常画像の全部又は一部を反転させた反転画像とが１枚ずつ交互に配置され、前記通常画像を視認するための権限情報が付与された表示画像を取得する表示画像取得手段と、
前記表示画像取得手段により取得される前記表示画像を所定の表示装置に出力し、所定のフレームレートで逐次更新させながら前記表示画像に含まれる前記通常画像と前記反転画像とを交互に表示させる表示制御手段と、
前記フレームレートに同期した動作を行うことが可能であり、前記表示手段によって表示される表示画像をユーザに視認させる画像視認装置に対して制御信号を送信する制御手段と、
前記画像視認装置に対して個別に設定される識別情報と前記表示画像に付与される権限情報とを対応付けた視認管理情報を記憶する記憶手段と、
を備え、
前記制御手段は、前記表示画像取得手段により取得される前記表示画像に付与された権限情報に基づいて前記視認管理情報を参照することにより、前記通常画像のみを視認可能とする前記画像視認装置を特定し、その特定した画像視認装置に対して前記フレームレートに同期して前記通常画像のみを視認させるための視認許可信号を送出することを特徴とする表示画像視認制御装置。
【請求項１２】
前記制御手段は、前記通常画像のみを視認する権限が設定されていない前記画像視認装置に対し、前記フレームレートで逐次更新して表示される表示画像をそのまま視認させる視認不可信号を送出することを特徴とする請求項１１に記載の表示画像視認制御装置。
【請求項１３】
表示装置に表示される表示画像を所定の画像視認装置を介して視認するときの視認状態を制御する表示画像視認制御方法であって、
(a) 前記画像視認装置に対して個別に設定される識別情報と前記表示画像に付与される権限情報とを対応付けた視認管理情報を記憶するステップと、
(b) 通常画像と、前記通常画像の全部又は一部を反転させた反転画像とが１枚ずつ交互に配置され、前記通常画像を視認するための権限情報が付与された前記表示画像を取得するステップと、
(c) 前記表示画像に付与された権限情報に基づいて前記視認管理情報を参照することにより、前記通常画像のみを視認可能とする前記画像視認装置を特定するステップと、
(d) 前記表示画像に含まれる前記通常画像と前記反転画像とを所定のフレームレートで逐次更新しながら表示するステップと、
(e) 前記通常画像のみを視認可能とする前記画像視認装置に対し、前記フレームレートに同期して視認許可信号を送出することにより、当該視認許可信号に基づいて前記画像視認装置を動作させ、前記フレームレートで逐次更新して表示される前記表示画像のうちから前記通常画像のみを視認可能に制御するステップと、
を有することを特徴とする表示画像視認制御方法。
【発明の詳細な説明】
【技術分野】
【０００１】
本発明は、表示画像視認制御システム、表示画像視認制御装置および表示画像視認制御方法に関する。
【背景技術】
【０００２】
近年、会議などで用いられる資料は、大画面ディスプレイなどの表示装置に表示され、参加者全員が同じ表示画像を見ることで情報の共有化が行われる。ところが、複数の拠点を結んで行うＴＶ会議や、複数の部署が参加する大規模な会議などでは、全ての参加者が資料に含まれる秘密情報に対する閲覧権限を有することは少ない。寧ろ、資料に含まれる秘密情報ごとに、その情報の閲覧権限を有する参加者が異なるのが一般的である。それ故、表示装置に表示される表示画像からの秘密漏洩を防止するために、会議などが開始される前には予め資料に含まれる秘密情報を削除したり、或いは、各参加者の権限に合わせてあらためて資料を作り直したりする必要があり、そのための準備作業が煩雑なものとなる。
【０００３】
ところで、従来、表示装置に表示画像を表示させる際、入力画像に、秘密情報を含む秘密画像と、秘密画像を反転させた反転画像と、秘密情報を含まない公衆画像との３つの画像を含め、これら入力画像に含まれる３つの画像を順次に異なるタイミングで表示すると共に、秘密画像を表示している期間には、表示装置とユーザの目との間に配置されるシャッタ眼鏡を光透過状態とするように制御する技術が提案されている（例えば特許文献１）。この技術によれば、秘密情報の閲覧権限を有するユーザがシャッタ眼鏡を装着した状態で表示装置を視認することにより、表示装置に表示される表示画像のうちから、秘密情報のみを視認することができる一方、シャッタ眼鏡を装着していない一般ユーザは、３つの画像を合成した状態で知覚することにより公衆画像を視認するようになる。
【先行技術文献】
【特許文献】
【０００４】
【特許文献１】国際公開第２００８／０９０８５１号
【発明の概要】
【発明が解決しようとする課題】
【０００５】
しかしながら、上述した特許文献１の従来技術では、シャッタ眼鏡を装着していない一般ユーザに対して秘密画像とは異なる公衆画像を視認させるため、秘密情報を含む秘密画像とは別に、予め秘密情報を含まない公衆画像を作成しなければならない。そのため、上記従来技術を利用して会議などを行う場合、その会議などが開始される前には公衆画像を準備して秘密情報を含む資料画像と組み合わせなければならず、そのための準備作業が依然として煩雑なものであるという問題がある。
【０００６】
また参加者の中に、例えばトップマネージャから一般従業員まで役職の異なる複数のユーザが含まれる場合、それら複数のユーザのそれぞれの役職に応じて閲覧可能な秘密情報が異なることがある。例えばトップマネージャは資料に含まれる全ての秘密情報を閲覧可能であり、ミドルマネージャは一部の秘密情報を除いて他の秘密情報には閲覧可能である。そして一般従業員は、資料に秘密情報が含まれる場合、その秘密情報を閲覧する権限はない。しかし、例えば役職の異なる参加者全員がシャッタ眼鏡を装着している場合には、全ての参加者が秘密情報を視認可能となってしまうため、表示画像からの秘密漏洩を良好に防止することができなくなる。
【０００７】
そこで本発明は、上記従来の問題点を解決するためになされたものであり、複数のユーザに対して表示画像を表示する際に特定のユーザに対して特別な画像を視認可能に制御する表示画像視認制御システム、表示画像視認制御装置および表示画像視認制御方法を提供することをその目的とするものである。
【課題を解決するための手段】
【０００８】
上記目的を達成するため、請求項１にかかる発明は、表示画像視認制御システムであって、秘密情報を含む通常画像と、前記通常画像の少なくとも秘密情報が含まれる部分を反転させた反転画像とが１枚ずつ交互に配置され、前記通常画像を視認するための権限情報が付与された表示画像を取得する表示画像取得手段と、前記表示画像に含まれる前記通常画像と前記反転画像とを所定のフレームレートで逐次更新しながら表示する表示手段と、固有の識別情報が設定され、前記フレームレートに同期した動作を行うことが可能であり、前記表示手段によって表示される表示画像をユーザに視認させる画像視認手段と、前記画像視認手段に設定される識別情報と前記表示画像に付与される権限情報とを対応付けた視認管理情報を予め記憶する記憶手段と、前記表示画像取得手段により取得される前記表示画像に付加された権限情報に基づいて前記視認管理情報を参照することにより、前記画像視認手段に対して、ユーザに前記通常画像のみを視認させるための視認許可信号と、前記フレームレートで逐次更新して表示される表示画像をそのまま視認させる視認不可信号とのいずれか一方を送出する制御手段と、を備え、前記画像視認手段は、前記制御手段から送出される前記視認許可信号を受信した場合には、前記視認許可信号に基づいて動作することにより、前記フレームレートで逐次更新して表示される表示画像のうちから前記通常画像のみをユーザに視認させ、前記制御手段から送出される前記視認不可信号を受信した場合には、前記視認不可信号に基づいて動作することにより、前記フレームレートで逐次更新して表示される表示画像をそのままユーザに視認させることを特徴とする構成である。
【０００９】
請求項２にかかる発明は、請求項１に記載の表示画像視認制御システムにおいて、前記視認管理情報には、複数のユーザのそれぞれに個別に割り当てられる前記画像視認手段に設定される識別情報と、前記通常画像のみを視認させるか否かの権限が設定された権限情報とが対応付けられており、前記制御手段は、前記表示画像取得手段により取得される前記表示画像に対して付加された権限情報に基づいて前記視認管理情報を参照することにより、前記通常画像のみを視認する権限が設定された前記画像視認手段を特定し、その特定した前記画像視認手段に対して前記視認許可信号を送出することを特徴とする構成である。
【００１０】
請求項３にかかる発明は、請求項２に記載の表示画像視認制御システムにおいて、前記制御手段は、前記通常画像のみを視認する権限が設定されていない前記画像視認手段に対し、前記視認不可信号を送出することを特徴とする構成である。
【００１１】
請求項４にかかる発明は、請求項１乃至３のいずれかに記載の表示画像視認制御システムにおいて、前記画像視認手段は、右目用シャッタと左目用シャッタと備え、前記右目用シャッタと前記左目用シャッタとを開閉駆動する眼鏡装置であり、前記制御手段から送出される前記視認許可信号に基づいて、前記表示手段により前記通常画像が表示されるタイミングで前記右目用シャッタと前記左目用シャッタとを同時に開放することにより、前記フレームレートで逐次更新して表示される表示画像のうちから前記通常画像のみを視認可能とすることを特徴とする構成である。
【００１２】
請求項５にかかる発明は、請求項１乃至３のいずれかに記載の表示画像視認制御システムにおいて、前記画像視認手段は、撮像手段と、前記撮像手段によって撮影された画像を表示する画像表示手段とを備える撮像装置であり、前記制御手段から送出される前記視認許可信号に基づいて、前記撮像手段による撮影動作を制御すると共に、前記撮像手段によって撮影された画像の表示状態を制御することにより、前記フレームレートで逐次更新して表示される表示画像を撮影して得られる画像のうちから前記通常画像のみを前記画像表示手段に表示することを特徴とする構成である。
【００１３】
請求項６にかかる発明は、請求項５に記載の表示画像視認制御システムにおいて、前記撮像装置は、前記制御手段から送出される前記視認許可信号に基づいて、前記通常画像のみを前記画像表示手段に表示する際、前記通常画像のみを表示している表示状態であることを報知することを特徴とする構成である。
【００１４】
請求項７にかかる発明は、請求項５又は６に記載の表示画像視認制御システムにおいて、前記撮像装置は、前記撮像手段によって撮影された画像を所定の記憶媒体に記録する記録処理手段を更に備え、前記記録処理手段は、前記制御手段から送出される前記視認許可信号に基づいて前記通常画像のみを前記画像表示手段に表示している状態のとき、前記記録媒体への画像の記録を禁止することを特徴とする構成である。
【００１５】
請求項８にかかる発明は、請求項１乃至７のいずれかに記載の表示画像視認制御システムにおいて、前記表示手段に表示するための画像データを記憶する記憶手段と、前記記憶手段に記憶された画像データに対して秘密領域を設定する秘密領域設定手段と、前記記憶手段に記憶された画像データに対して前記秘密領域設定手段によって秘密領域が設定されている場合、当該画像データに基づいて前記通常画像を生成すると共に、当該画像データにおいて少なくとも秘密領域が設定されている部分を反転させて前記反転画像を生成することにより、前記表示画像を生成する表示画像生成手段と、をさらに備え、前記表示画像取得手段は、前記表示画像生成手段によって生成される表示画像を取得することを特徴とする構成である。
【００１６】
請求項９にかかる発明は、請求項８に記載の表示画像視認制御システムにおいて、前記記憶手段に記憶された画像データを読み出し、当該画像データに基づいて印刷出力を行う印刷出力手段をさらに備え、前記印刷出力手段は、前記記憶手段に記憶された画像データに対して前記秘密領域設定手段によって秘密領域が設定されている場合、当該画像データにおいて少なくとも秘密領域が設定されている部分に対してマスク処理を施して印刷出力を行うことを特徴とする構成である。
【００１７】
請求項１０にかかる発明は、請求項１乃至７のいずれかに記載の表示画像視認制御システムにおいて、前記表示手段において右目用画像と左目用画像とを前記フレームレートで交互に表示するための画像データを記憶する記憶手段と、前記記憶手段に記憶された画像データに対して秘密領域を設定する秘密領域設定手段と、前記記憶手段に記憶された画像データに対して前記秘密領域設定手段によって秘密領域が設定されている場合、前記右目用画像と前記左目用画像のいずれか一方に基づいて前記通常画像と前記反転画像を生成すると共に、前記通常画像と前記反転画像とを１枚ずつ交互に配置した表示画像を生成する表示画像生成手段と、を更に備え、前記表示画像取得手段は、前記表示画像生成手段によって生成される表示画像を取得することを特徴とする構成である。
【００１８】
請求項１１にかかる発明は、表示画像視認制御装置であって、通常画像と、前記通常画像の全部又は一部を反転させた反転画像とが１枚ずつ交互に配置され、前記通常画像を視認するための権限情報が付与された表示画像を取得する表示画像取得手段と、前記表示画像取得手段により取得される前記表示画像を所定の表示装置に出力し、所定のフレームレートで逐次更新させながら前記表示画像に含まれる前記通常画像と前記反転画像とを交互に表示させる表示制御手段と、前記フレームレートに同期した動作を行うことが可能であり、前記表示手段によって表示される表示画像をユーザに視認させる画像視認装置に対して制御信号を送信する制御手段と、前記画像視認装置に対して個別に設定される識別情報と前記表示画像に付与される権限情報とを対応付けた視認管理情報を記憶する記憶手段と、を備え、前記制御手段は、前記表示画像取得手段により取得される前記表示画像に付与された権限情報に基づいて前記視認管理情報を参照することにより、前記通常画像のみを視認可能とする前記画像視認装置を特定し、その特定した画像視認装置に対して前記フレームレートに同期して前記通常画像のみを視認させるための視認許可信号を送出することを特徴とする構成である。
【００１９】
請求項１２にかかる発明は、請求項１１に記載の表示画像視認制御装置において、前記制御手段は、前記通常画像のみを視認する権限が設定されていない前記画像視認装置に対し、前記フレームレートで逐次更新して表示される表示画像をそのまま視認させる視認不可信号を送出することを特徴とする構成である。
【００２０】
請求項１３にかかる発明は、表示装置に表示される表示画像を所定の画像視認装置を介して視認するときの視認状態を制御する表示画像視認制御方法であって、(a) 前記画像視認装置に対して個別に設定される識別情報と前記表示画像に付与される権限情報とを対応付けた視認管理情報を記憶するステップと、(b) 通常画像と、前記通常画像の全部又は一部を反転させた反転画像とが１枚ずつ交互に配置され、前記通常画像を視認するための権限情報が付与された前記表示画像を取得するステップと、(c) 前記表示画像に付与された権限情報に基づいて前記視認管理情報を参照することにより、前記通常画像のみを視認可能とする前記画像視認装置を特定するステップと、(d) 前記表示画像に含まれる前記通常画像と前記反転画像とを所定のフレームレートで逐次更新しながら表示するステップと、(e) 前記通常画像のみを視認可能とする前記画像視認装置に対し、前記フレームレートに同期して視認許可信号を送出することにより、当該視認許可信号に基づいて前記画像視認装置を動作させ、前記フレームレートで逐次更新して表示される前記表示画像のうちから前記通常画像のみを視認可能に制御するステップと、を有することを特徴とする構成である。
【発明の効果】
【００２１】
本発明によれば、表示画像に付加された権限情報に基づいて視認管理情報を参照することにより、通常画像のみを視認させるユーザを特定し、そのユーザに通常画像のみを視認させるための視認許可信号を送出するので、複数のユーザに対して表示画像を表示する際、特定のユーザに対してのみ特別な画像を視認可能に制御することができるようになる。
【図面の簡単な説明】
【００２２】
【図１】第１の実施の形態における表示画像視認制御システムの概略構成の一例を示す図である。
【図２】画像処理装置のハードウェア構成の一例を示すブロック図である。
【図３】画像処理装置に予め記憶される画像データの一例を示す図である。
【図４】画像処理装置に予め記憶される視認管理情報の一例を示す図である。
【図５】眼鏡装置のハードウェア構成の一例を示すブロック図である。
【図６】表示画像視認制御システムを利用してＴＶ会議などを行う場合のプロセスの流れの概要を示す図である。
【図７】表示対象となる画像データに設定される秘密領域および権限レベルの一例を示す図である。
【図８】第１拠点の画像処理装置の機能構成を示すブロック図である。
【図９】表示制御部から表示装置に出力される表示画像の概念を示す図である。
【図１０】表示装置によって表示される表示画像が秘密情報を含む場合の眼鏡装置におけるシャッタ開閉動作の一例を示す図である。
【図１１】各ユーザが眼鏡装置を介して秘密情報が含まれる表示画像を視認した場合の視認画像の一例を示す図である。
【図１２】第１拠点の画像処理装置において行われる処理手順の一例を示すフローチャートである。
【図１３】表示画像生成処理の詳細な処理手順の一例を示すフローチャートである。
【図１４】第２拠点の画像処理装置の機能構成を示すブロック図である。
【図１５】第２拠点の画像処理装置において行われる処理手順の一例を示すフローチャートである。
【図１６】３Ｄ画像データに基づく立体表示が可能な状態を保持しつつ通常画像と反転画像とを交互に配置する手法の一例を示す図である。
【図１７】３Ｄ画像データを２Ｄ画像データに切り替えて平面的な表示態様で通常画像と反転画像とを交互に配置する手法の一例を示す図である。
【図１８】第２の実施の形態における表示画像視認制御システムの概略構成の一例を示す図である。
【図１９】撮像装置のハードウェア構成の一例を示すブロック図である。
【図２０】表示装置によって表示される表示画像が秘密情報を含む場合の撮像装置における動作の一例を示す図である。
【図２１】各ユーザが撮像装置を介して秘密情報が含まれる表示画像を視認した場合の視認画像の一例を示す図である。
【発明を実施するための形態】
【００２３】
以下、本発明に関する好ましい実施形態について図面を参照しつつ詳細に説明する。尚、以下に説明する実施形態において互いに共通する部材には同一符号を付しており、それらについての重複する説明は省略する。
【００２４】
（第１の実施の形態）
図１は、本発明の第１の実施の形態における表示画像視認制御システム１の概略構成の一例を示す図である。この表示画像視認制御システム１は、第１拠点に設けられた会議システムと、第２拠点に設けられた会議システムとがインターネットなどの外部ネットワーク９を介して相互にデータ通信可能に接続され、第１拠点と第２拠点の遠隔地間でＴＶ会議などを行うことができるシステムである。
【００２５】
図１に示すように、第１拠点には、ＬＡＮなどのローカルネットワーク６ａが設けられ、このローカルネットワーク６ａが外部ネットワーク９に接続されている。第１拠点のローカルネットワーク６ａには、第１拠点の会議室の様子を撮影するためのカメラ３ａと、プレゼンタが操作するコンピュータ５と、資料などの表示画像をスクリーン７ａに投影表示させる表示装置４ａと、デジタル複合機などで構成される画像処理装置２ａとが接続される。
【００２６】
また第２拠点には、ＬＡＮなどのローカルネットワーク６ｂが設けられ、このローカルネットワーク６ｂが外部ネットワーク９に接続されている。第２拠点のローカルネットワーク６ｂには、第２拠点の会議室の様子を撮影するためのカメラ３ｂと、資料などの表示画像をスクリーン７ｂに投影表示させる表示装置４ｂと、複合機などで構成される画像処理装置２ｂが接続される。
【００２７】
本実施形態では、第１拠点および第２拠点のそれぞれに設けられる画像処理装置２ａ，２ｂが後述する処理プログラムを実行することにより、表示画像視認制御装置として機能し、互いに外部ネットワーク９を介してデータ通信を行いながら、各拠点に設けられたカメラ３ａ，３ｂおよび表示装置４ａ，４ｂを制御することにより、ＴＶ会議などの進行を制御するように構成される。また本実施形態では、第１拠点においてＴＶ会議などに参加する各参加者は眼鏡装置８ａを装着し、第２拠点において参加する各参加者は眼鏡装置８ｂを装着する。そして表示画像視認制御装置として機能する画像処理装置２ａ，２ｂは、各拠点において各参加者が装着する眼鏡装置８ａ，８ｂの動作を制御するように構成される。
【００２８】
本実施形態においては、第１拠点の画像処理装置２ａが主装置となり、第２拠点の画像処理装置２ｂに表示画像を送信する場合を例示する。つまり、第１拠点の画像処理装置２ａは、プレゼンタによって行われる指示操作に基づいて動作し、資料などの画像を表示画像として表示装置４ａに出力してスクリーン７ａに表示させる。このとき、画像処理装置２ａは、表示装置４ａによる表示画像の投影表示を制御すると共に、その投影表示に同期させて第１拠点において各参加者が装着している眼鏡装置８ａの動作を制御する。
【００２９】
また画像処理装置２ａは、表示画像を表示装置４ａに出力することに伴い、その表示画像を第２拠点の画像処理装置２ｂに送信する。そして第２拠点の画像処理装置２ｂは、第１拠点の画像処理装置２ａから表示画像を受信すると、その表示画像を表示装置４ｂに出力し、スクリーン７ｂに表示させる。このとき、画像処理装置２ｂは、表示装置４ｂによる表示画像の投影表示を制御すると共に、その投影表示に同期させて第２拠点において各参加者が装着している眼鏡装置８ｂの動作を制御する。以下、このような表示画像視認制御システム１についてさらに詳しく説明する。
【００３０】
図２は、画像処理装置２ａ，２ｂのハードウェア構成の一例を示すブロック図である。図２に示すように、画像処理装置２ａ，２ｂは、制御部１０と、ネットワークインタフェース１１と、無線通信機１２と、操作パネル１４と、スキャナ部１５と、プリンタ部１６と、記憶装置１７とを備え、これらがデータバス１８を介して相互にデータの入出力を行うことができる構成である。
【００３１】
制御部１０は、ＣＰＵ１０ａとメモリ１０ｂとを備えている。ＣＰＵ１０ａは、各種プログラムを実行することにより、上述した各部の動作を制御するための演算処理を行う。またＣＰＵ１０ａは、記憶装置１７に予め格納されている処理プログラム２０を読み出して実行することにより、画像処理装置２ａ，２ｂを表示画像視認制御装置として機能させる。メモリ１０ｂは、ＣＰＵ１０ａがプログラムを実行することに伴い、一時的なデータなどを記憶するためのものである。
【００３２】
ネットワークインタフェース１１は、画像処理装置２ａ，２ｂをローカルネットワーク６ａ，６ｂに接続するためのものである。制御部１０は、このネットワークインタフェース１１を介して外部とのデータ通信を行う。
【００３３】
無線通信機１２は、例えば赤外線による近距離無線通信を行うためのものである。この無線通信機１２は、眼鏡装置８ａ，８ｂに対して制御信号を送出するために利用される。すなわち、本実施形態において画像処理装置２ａ，２ｂと眼鏡装置８ａ，８ｂとは互いに無線によるデータ通信を行うように構成されている。制御部１０が眼鏡装置８ａ，８ｂに対して制御信号を送出する際にはこの無線通信機１２に対して制御信号が出力される。そして無線通信機１２は、制御部１０から入力する制御信号を無線信号として各眼鏡装置８ａ，８ｂに送出する。尚、無線通信機１２は、複数の眼鏡装置８ａ，８ｂのそれぞれに対して制御信号を個別に送出できるようにするため、例えば赤外線などの信号送出部を複数備えたものであっても構わない。
【００３４】
操作パネル１４は、ユーザが画像処理装置２ａ，２ｂを操作する際のユーザインタフェースとなるものである。この操作パネル１４は、ユーザに対して各種情報を表示する表示部１４ａと、ユーザによる各種操作入力を受け付ける操作部１４ｂとを備えている。
【００３５】
スキャナ部１５は、原稿を読み取って画像データを生成し出力する原稿読み取り部である。このスキャナ部１５は、例えばＴＶ会議などに用いられる資料を読み取って表示装置４ａ，４ｂに表示するための画像データを生成することも可能である。
【００３６】
プリンタ部１６は、入力する画像データに基づいて印刷用紙などのシート材に印刷出力を行う印刷出力部である。このプリンタ部１６は、例えばＴＶ会議などに用いられる資料に関する画像データに基づいて印刷出力を行うことにより、各参加者への配布資料を出力することも可能である。
【００３７】
記憶装置１７は、例えばハードディスク装置などで構成される不揮発性の記憶装置である。この記憶装置１７には、上述したように、画像処理装置２ａ，２ｂを表示画像視認制御装置として機能させるための処理プログラム２０が予め格納されている。また、この記憶装置１７には、表示装置４ａ，４ｂに表示するための資料に関する画像データ２１と、各参加者に視認させる画像の権限レベルを管理するための視認管理情報２２とが予め記憶される。ただし、画像データ２１に関しては、第１拠点の画像処理装置２ａにのみ記憶され、第２拠点の画像処理装置２ｂには記憶されない。また、この画像データ２１には、全ての参加者に閲覧することが許可されない秘密情報が含まれていても良い。
【００３８】
例えばプレゼンタは、第１拠点に設けられた画像処理装置２ａを操作し、ＴＶ会議に用いる資料をスキャナ部１５で読み取らせることにより、画像処理装置２ａの記憶装置１７に画像データ２１を予め保存する。この他にも例えば、プレゼンタはコンピュータ５を操作することによって資料を作成し、その資料に関する画像データ２１を画像処理装置２ａに出力して記憶装置１７に保存するようにしても良い。
【００３９】
またプレゼンタは、ＴＶ会議が開始されるまでに予めコンピュータ５を操作することにより、第１拠点および第２拠点の各参加者に視認させる画像の権限レベルを設定した視認管理情報２２を生成し、各拠点の画像処理装置２ａ，２ｂに登録する。
【００４０】
図３は、第１拠点の画像処理装置２ａに予め記憶される画像データ２１の一例を示す図である。図３に示す画像データ２１には、秘密情報が含まれており、例えば「神戸市」、「横浜市」、「金沢市」が秘密情報となっている。
【００４１】
次に図４は、画像処理装置２ａ，２ｂに予め記憶される視認管理情報２２の一例を示す図である。図４に示すように視認管理情報２２には、各拠点でＴＶ会議に参加するユーザが登録された参加者情報２２ａと、参加者情報２２ａに登録された各ユーザの権限レベルが登録された権限情報２２ｂと、参加者情報２２ａに登録された各ユーザが所持する眼鏡装置８ａ，８ｂに対して個別に設定されている識別情報が登録された登録識別情報２２ｃとが含まれる。つまり、権限情報２２ｂと登録識別情報２２ｃとは、参加者情報２２ａに参加者として登録されているユーザごとに設定される情報である。このような視認管理情報２２は、例えば拠点ごとに作成され、各拠点の画像処理装置２ａ，２ｂに予め記憶される。
【００４２】
権限情報２２ｂとして登録される各ユーザの権限レベルは、秘密情報を閲覧する権限がどのレベルであるかを示す数値情報であり、権限レベルの数値が大きいほど秘密レベルの高い秘密情報を閲覧する権限があることを示している。図例では、権限レベルは「０」，「１」，「２」の３段階となっており、ユーザＡおよびユーザＢの権限レベルが「２」で最も高く、ユーザＣの権限レベルが「１」であり、ユーザＤの権限レベルが「０」となっている。この場合、ユーザＡおよびユーザＢは、全ての秘密情報を閲覧する権限を有しており、ユーザＣは、秘密レベルが中程度までの秘密情報を閲覧する権限を有しており、ユーザＤには秘密情報を閲覧する権限がないことを示している。このような権限レベルは、ＴＶ会議が開始される前にプレゼンタによって作成され、各画像処理装置２ａ，２ｂに予め登録されるが、ＴＶ会議が開始された後にはプレゼンタがコンピュータ５を操作することによって各画像処理装置２ａ，２ｂに書き換えを指示することにより、各ユーザの権限レベルをＴＶ会議などの進行途中で書き換えることができるようにしても良い。
【００４３】
次に図５は、眼鏡装置８ａ，８ｂのハードウェア構成の一例を示すブロック図である。眼鏡装置８ａ，８ｂは、本実施形態において、表示装置４ａ，４ｂによって表示される表示画像をユーザに視認させるための画像視認装置として利用されるものである。図５に示すように、眼鏡装置８ａ，８ｂは、無線通信部３１と、信号解析部３２と、メモリ３３と、シャッタ制御部３４と、右目用シャッタ３５Ｒと、左目用シャッタ３５Ｌとを備えている。
【００４４】
無線通信部３１は、画像処理装置２ａ，２ｂとの間で、例えば赤外線による近距離無線通信を行うためのものである。この無線通信部３１は、画像処理装置２ａ，２ｂから送出される制御信号を受信すると、その制御信号を信号解析部３２に出力する。
【００４５】
信号解析部３２は、無線通信部３１によって受信される制御信号を解析する処理部である。信号解析部３２は、メモリ３３に格納されている識別情報３６を読み出し、その識別情報３６に基づいて制御信号を解析する。メモリ３３に格納されている識別情報３６は、各眼鏡装置８ａ，８ｂに対して個別に設定されている固有の情報である。つまり、各眼鏡装置８ａ，８ｂには、それぞれ値の異なる識別情報２６が予め設定されている。尚、メモリ３３に格納されている識別情報３６は、上述した視認管理情報２２に登録識別情報２２ｃとして登録される識別情報である。信号解析部３２は、制御信号に付加されている識別情報を抽出し、その識別情報がメモリ３３から読み出した識別情報３６と一致するか否かを判別する。その結果、制御信号に付加されている識別情報がメモリ３３から読み出した識別情報３６と一致する場合、信号解析部３２は、無線通信部３１によって受信される制御信号をシャッタ制御部３４に出力する。
【００４６】
シャッタ制御部３４は、右目用シャッタ３５Ｒと左目用シャッタ３５Ｌとを個別に又は同時に開閉駆動する駆動手段である。右目用シャッタ３５Ｒおよび左目用シャッタ３５Ｌは、眼鏡装置８ａ，８ｂを装着するユーザの目の前方に位置し、シャッタ制御部３４によって駆動されることによりシャッタの開閉動作を行うように構成される。そしてシャッタ制御部３４は、信号解析部３２から入力する制御信号に基づいて右目用シャッタ３５Ｒと左目用シャッタ３５Ｌの開閉駆動を行う。
【００４７】
眼鏡装置８ａ，８ｂは、上記のようなハードウェア構成を備えることにより、画像処理装置２ａ，２ｂから送出される制御信号に基づいて動作する。このような眼鏡装置８ａ，８ｂは、表示装置４ａ，４ｂによって逐次更新されながら投影表示される表示画像と同期して動作し、ユーザが表示装置４ａ，４ｂによって表示される表示画像を視認するときには、そのユーザの視認可能な表示画像を制御するように構成される。
【００４８】
次に図６は、表示画像視認制御システム１を利用してＴＶ会議などを行う場合のプロセスの流れの概要を示す図である。図６に示す各プロセスは、主としてプレゼンタによって行われる操作に基づいて画像処理装置２ａにおいて行われるものである。プレゼンタは、まず事前準備として、ＴＶ会議などに用いる資料の画像データ２１を画像処理装置２ａに登録する（プロセスＰ１）。このとき、画像処理装置２ａに登録される画像データ２１には、秘密情報が含まれていても良い。またプレゼンタは、ＴＶ会議などを行う拠点ごとに上述した視認管理情報２２を作成し、その視認管理情報２２を各画像処理装置２ａ，２ｂに登録する（プロセスＰ２）。
【００４９】
その後、会議が開始されると、プレゼンタは、コンピュータ５を操作することにより、或いは、画像処理装置２ａの操作パネル１４を操作することにより、各拠点のスクリーン７ａ，７ｂに投影表示する画像データ２１の確認を行う（プロセスＰ３）。すなわち、このプロセスＰ３は、各拠点のスクリーン７ａ，７ｂに対して画像データ２１に基づく表示画像が投影表示される前に行われる。画像処理装置２ａは、プレゼンタによる画像データ２１を確認するための操作を受け付けると、記憶装置１７に記憶されている画像データ２１を読み出し、プレゼンタが操作するコンピュータ５又は操作パネル１４の表示部１４ａにその画像データ２１を出力する。これにより、プレゼンタは、表示対象となる画像データ２１に、秘密情報が含まれているか否かを確認することができる。例えば、画像データ２１に複数のページが含まれる場合、このプロセスＰ３はページごとに行われる。
【００５０】
次にプレゼンタは、表示対象となる画像データ２１に秘密情報が含まれると判断した場合、その表示対象となる画像データ２１に対して秘密情報が含まれている部分に秘密領域を設定する（プロセスＰ４）。すなわち、プレゼンタは、コンピュータ５又は操作パネル１４を操作することにより、プロセスＰ３によって表示された画像データ２１に含まれる秘密情報の部分を指定し、その指定した部分を秘密領域として設定する。またプレゼンタは、画像データ２１に対して秘密領域を設定すると、その秘密領域に含まれる秘密情報の閲覧を許可する権限レベルを設定する（プロセスＰ５）。
【００５１】
図７は、表示対象となる画像データ２１に設定される秘密領域および権限レベルの一例を示す図である。例えば、事前準備（プロセスＰ１）において図３に示したような画像データ２１が登録されたとすると、プロセスＰ４，Ｐ５では、プレゼンタによる設定操作に基づき、図７に示すように、画像データ２１に含まれる秘密情報の部分に秘密領域Ｒ１が設定されると共に、その秘密領域Ｒ１に含まれる秘密情報の閲覧権限を示す権限レベルが設定される。図例では、秘密領域Ｒ１に設定される権限レベルは「２」となっている。そして秘密領域Ｒ１に設定される権限レベルは、権限情報２３として画像データ２１に付加される。
【００５２】
したがって、プレゼンタによって表示対象となる画像データ２１に秘密情報が含まれると判断された場合には、プロセスＰ４，Ｐ５が行われることによって、画像処理装置２ａの記憶装置１７に記憶される画像データ２１は、秘密情報が含まれる部分に秘密領域Ｒ１が設定され、且つ、権限情報２３が付加されたデータに更新される。尚、プレゼンタによって表示対象となる画像データ２１に秘密情報が含まれないと判断された場合には、プロセスＰ４，Ｐ５は行われない。
【００５３】
その後、画像処理装置２ａは、記憶装置１７に記憶された画像データ２１に基づいて表示画像を生成し、その表示画像を表示装置４ａに出力して投影表示を開始させると共に、その表示画像を第２拠点の画像処理装置２ｂに対して送信する処理を開始する（プロセスＰ６）。これにより、第２拠点の画像処理装置２ｂは、第１拠点の画像処理装置２ａにおいて生成される表示画像を受信するようになり、その表示画像を表示装置４ｂに出力して投影表示を開始する。
【００５４】
また画像処理装置２ａは、プロセスＰ６において、秘密領域Ｒ１の設定された画像データ２１に基づいて表示画像を生成する際、画像データ２１をそのままの状態で表示させるための通常画像と、画像データ２１において少なくとも秘密領域Ｒ１の設定された部分を反転させた反転画像とを生成する。反転画像は、画像データ２１において少なくとも秘密領域Ｒ１に含まれる画素の濃度値を反転させることにより生成される。そして画像処理装置２ａは、それら通常画像と反転画像とを交互に配置することにより、表示装置４ａ，４ｂにおいてそれら通常画像と反転画像とが所定のフレームレートで順次切り替えられながら表示される表示画像を生成する。また、画像処理装置２ａは、上記のようにして表示画像を生成することに伴い、元の画像データ２１に付加されていた権限情報２３をその表示画像にも付加する。
【００５５】
そして画像処理装置２ａ，２ｂは、上記のようにして生成される表示画像を表示装置４ａ，４ｂに出力して投影表示させる際、例えば表示装置４ａ，４ｂにおいて通常画像と反転画像とが所定のフレームレートで順次に切り替わるように通常画像と反転画像とを交互に配置したテレビジョン信号として出力する。これにより、表示装置４ａ，４ｂは、表示画像に含まれる通常画像と反転画像とを所定のフレームレートで逐次更新しながらスクリーン７ａ，７ｂに表示画像を表示するようになる。
【００５６】
尚、秘密領域Ｒ１の設定されていない画像データ２１に基づいて表示画像を生成する際には、反転画像は生成されず、通常画像のみで表示画像が構成される。
【００５７】
また画像処理装置２ａ，２ｂは、通常画像と反転画像とで構成される表示画像の表示処理を開始することに伴い、各参加者が装着する眼鏡装置８ａ，８ｂに対して制御信号を送出する。このとき、画像処理装置２ａ，２ｂは、秘密情報の閲覧権限を有する参加者の眼鏡装置８ａ，８ｂに対し、所定のフレームレートで逐次更新しながら表示される表示画像のうちから通常画像のみを視認させるための視認許可信号を送出するように構成される。また秘密情報の閲覧権限を有さない参加者の眼鏡装置８ａ，８ｂには、所定のフレームレートで逐次更新しながら表示される表示画像をそのまま視認させるための視認不可信号を送出するように構成される。
【００５８】
その後、プレゼンタが表示装置４ａ，４ｂによって表示されている表示画像のページを更新する操作を行うと、図６に示すように、プロセスＰ６からプロセスＰ３へと戻り、次のページを表示対象として再びプレゼンタによる画像データ２１の確認が行われる。このように本実施形態では、画像データ２１に複数のページが含まれる場合、プレゼンタによってページ更新操作が行われる都度、プロセスＰ３〜Ｐ６が繰り返し行われるようになる。
【００５９】
以下、このような画像処理装置２ａ，２ｂについて更に詳しく説明する。ただし、第１拠点の画像処理装置２ａと第２拠点の画像処理装置２ｂは、主装置となるか否かによってその動作が異なる。そのため、まず第１拠点の画像処理装置２ａについて説明する。
【００６０】
図８は、第１拠点の画像処理装置２ａの機能構成を示すブロック図である。画像処理装置２ａは、プレゼンタによってＴＶ会議などを開始させる指示操作が行われた場合、制御部１０において上述したＣＰＵ１０ａが処理プログラム２０を実行することにより、画像データ読出部４１、秘密領域設定部４２、表示画像生成部４３、表示画像生成部４３、表示画像取得部４４、制御信号発生部４５、表示制御部４６および視認制御部４７として機能する。
【００６１】
画像データ読出部４１は、記憶装置１７に予め格納されている画像データ２１を読み出す処理部である。画像データ読出部４１は、記憶装置１７から表示対象となる画像データ２１を読み出すと、その読み出した画像データ２１に基づいて、プレゼンタが操作するコンピュータ５又は操作パネル１４の表示部１４ａに確認のための画像表示を行う。これにより、プレゼンタは、画像データ２１に基づく表示画像が投影表示される前に、秘密情報を含む画像データ２１であるか否かを判断することができる。また画像データ読出部４１は、記憶装置１７から読み出した画像データ２１を秘密領域設定部４２および表示画像生成部４３に出力する。
【００６２】
秘密領域設定部４２は、コンピュータ５又は操作パネル１４の操作部１４ｂを介して入力されるプレゼンタの指示操作に基づき、画像データ２１に対して秘密領域Ｒ１を設定する処理部である。また秘密領域設定部４２は、プレゼンタによって秘密領域Ｒ１が設定されると、その秘密領域Ｒ１に含まれる秘密情報を閲覧可能にする権限レベルの設定操作を受け付ける。そしてプレゼンタによって設定される権限レベルに基づいて権限情報２３を生成し、その権限情報２３を画像データ２１に付加する。その後、秘密領域設定部４２は、秘密領域Ｒ１が設定されると共に権限情報２３が付加された画像データ２１を表示画像生成部４３に出力する。また秘密領域設定部４２は、画像データ２１に付加した権限情報２３を制御信号発生部４５に出力する。
【００６３】
尚、プレゼンタによって秘密領域Ｒ１の設定操作が行われなかった場合、秘密領域設定部４２は、表示画像生成部４３および制御信号発生部４５のいずれに対しても出力を行うことなく、処理を終了する。
【００６４】
表示画像生成部４３は、プレゼンタによる画像データ２１の確認作業が終了すると機能し、入力する画像データ２１に基づいて表示装置４ａに出力するための表示画像を生成する処理部である。表示画像生成部４３は、秘密領域設定部４２から秘密領域Ｒ１の設定された画像データ２１を入力した場合、その秘密領域設定部４２から入力した画像データ２１に基づいて表示画像を生成する。すなわち、表示画像生成部４３は、秘密領域設定部４２から入力した画像データ２１に基づいて通常画像と反転画像とを生成する。より具体的に説明すると、表示画像生成部４３は、秘密領域設定部４２から入力した画像データ２１に基づいて通常画像を生成すると共に、その画像データ２１に含まれる秘密領域Ｒ１を特定し、その秘密領域Ｒ１に含まれる画素の濃度値を反転させることにより反転画像を生成する。そして表示画像生成部４３は、それら通常画像と反転画像とを交互に配置することにより、それら通常画像と反転画像とが所定のフレームレートで順次に切り替えられながら表示される表示画像を生成する。そして表示画像生成部４３は、表示画像に対して権限情報２３を付加する。
【００６５】
また表示画像生成部４３は、秘密領域設定部４２から秘密領域Ｒ１の設定された画像データ２１を入力しなかった場合、画像データ読出部４１から入力した画像データ２１に基づいて表示画像を生成する。このとき反転画像は生成されないので、表示画像生成部４３は、画像データ２１に基づいて生成する通常画像のみを配置することにより、通常画像が所定のフレームレートで逐次更新されながら表示される表示画像を生成する。
【００６６】
そして表示画像生成部４３は、上記のようにして生成した表示画像を表示画像取得部４４に出力する。表示画像取得部４４は、表示画像生成部４３によって生成される表示画像を取得すると、その表示画像を制御信号発生部４５および表示制御部４６に出力する。
【００６７】
制御信号発生部４５は、表示画像取得部４４によって取得される表示画像に基づいて、第１拠点における各参加者が装着する眼鏡装置８ａに対して個別に送出するための制御信号を発生させる処理部である。この制御信号発生部４５は、表示画像取得部４４によって取得される表示画像に秘密情報が含まれているか否かを判断する。
【００６８】
表示画像に秘密情報が含まれている場合、制御信号発生部４５は、秘密領域設定部４２から入力する権限情報２３に基づいて表示画像に含まれる秘密情報を閲覧するための権限レベルを特定する。そして制御信号発生部４５は、記憶装置１７に記憶されている視認管理情報２２を参照し、表示画像に含まれる秘密情報を視認可能にするユーザを特定すると共に、その特定したユーザに対応する登録識別情報２２ｃの項目を参照することによりそのユーザが所持する眼鏡装置８ａに対して個別に設定されている識別情報３６を抽出する。そして制御信号発生部４５は、特定したユーザに対して通常画像のみを視認させるための視認許可信号を生成し、その視認許可信号に視認管理情報２２から抽出した識別情報３６を付加して視認制御部４７に出力する。
【００６９】
また制御信号発生部４５は、記憶装置１７に記憶されている視認管理情報２２を参照し、表示画像に含まれる秘密情報を視認できないようにするユーザを特定すると共に、その特定したユーザに対応する登録識別情報２２ｃの項目を参照することによりそのユーザが所持する眼鏡装置８ａに対して個別に設定されている識別情報３６を抽出する。そして制御信号発生部４５は、その特定したユーザに対して表示装置４ａによって表示される表示画像をそのまま視認させるための視認不可信号を生成し、その視認不可信号に視認管理情報２２から抽出した識別情報３６を付加して視認制御部４７に出力する。
【００７０】
これに対し、表示画像に秘密情報が含まれていない場合、制御信号発生部４５は、表示装置４ａによって表示される表示画像を各ユーザに視認させるためにデフォルト設定されている制御信号を発生させ、視認管理情報２２の登録識別情報２２ｃに登録されている全ての識別情報３６を付加して視認制御部４７に出力する。尚、デフォルト設定されている制御信号は、例えば表示装置４ａによって表示される表示画像をそのまま視認させるための視認不可信号と同じである。
【００７１】
上記のようにして制御信号発生部４５において生成される制御信号は、表示装置４ａにおいて逐次更新されながら表示される表示画像のフレームレートに同期した動作を眼鏡装置８ａに行わせるための信号となる。そのため、特に視認許可信号は、表示装置４ａにおいて通常画像と反転画像とが切り替わるタイミングに同期して、秘密情報を視認する権限を有するユーザが装着する眼鏡装置８ａの右目用シャッタ３５Ｒと左目用シャッタ３５Ｌとを開閉駆動させるための制御信号として生成される。
【００７２】
表示制御部４６は、表示画像取得部４４から入力する表示画像を表示装置４ａに出力することにより、表示装置４ａに表示画像を投影表示させる処理部である。この表示制御部４６は、表示画像取得部４４から入力する表示画像を所定のフレームレートで逐次更新させながら表示させるように表示装置４ａを制御する。
【００７３】
図９は、表示制御部４６から表示装置４ａに出力される表示画像の概念を示す図である。尚、図９では、表示画像に秘密情報が含まれる場合を例示している。図９に示すように表示画像に秘密情報が含まれる場合、表示画像は、秘密領域Ｒ１をそのまま表示する通常画像Ｇ１と、秘密領域Ｒ１の部分が反転した反転画像Ｇ２とが交互に配置される画像となる。そのため、表示制御部４６は、図９に示すように通常画像Ｇ１と反転画像Ｇ２とを所定のフレームレートで交互に切り替えながら表示画像を表示装置４ａに出力する。これにより、表示装置４ａは、表示制御部４６から出力される通常画像と反転画像とを所定のフレームレートで交互に投影表示するようになる。
【００７４】
図８に戻り、視認制御部４７は、制御信号発生部４５から入力する制御信号を無線通信機１２に対して出力することにより、無線通信機１２にその制御信号を送出させ、第１拠点で各参加者が装着する眼鏡装置８ａの動作を制御する。この視認制御部４７が無線通信機１２を介して制御信号を眼鏡装置８ａに送出することにより、眼鏡装置８ａは表示装置４ａによって投影表示される表示画像のフレームレートに同期した動作を行うようになる。
【００７５】
すなわち、表示装置４ａによって秘密情報を含む表示画像が投影表示されている場合、その秘密情報を視認する権限を有さないユーザに装着された眼鏡装置８ａは、視認不可信号を受信し、その視認不可信号に基づいて右目用シャッタ３５Ｒと左目用シャッタ３５Ｌの開閉状態を制御するようになる。これに対し、その秘密情報を視認する権限を有するユーザに装着された眼鏡装置８ａは、視認許可信号を受信し、その視認許可信号に基づいて右目用シャッタ３５Ｒと左目用シャッタ３５Ｌの開閉状態を制御するようになる。
【００７６】
図１０は、表示装置４ａによって表示される表示画像が秘密情報を含む場合の眼鏡装置８ａにおけるシャッタ開閉動作の一例を示す図である。図１０に示すように、表示画像に秘密情報が含まれる場合、表示装置４ａによって表示される表示画像は、通常画像Ｇ１と反転画像Ｇ２とが所定のフレームレートで順次更新される。
【００７７】
この場合、秘密情報を視認する権限を有さない非権限ユーザが装着する眼鏡装置８ａは、視認不可信号に基づいて動作することにより、図１０に示すように、右目用シャッタ３５Ｒと左目用シャッタ３５Ｌとを常時開放させた状態に制御する。したがって、非権限ユーザは、眼鏡装置８ａを介してスクリーン７ａに投影される表示画像を視認すると、通常画像Ｇ１と反転画像Ｇ２とが所定のフレームレートで入れ替わる表示画像をそのままの状態で視認することになる。
【００７８】
これに対し、秘密情報を視認する権限を有する権限ユーザが装着する眼鏡装置８ａは、視認許可信号に基づいて動作することにより、図１０に示すように、通常画像Ｇ１が表示される期間中は右目用シャッタ３５Ｒと左目用シャッタ３５Ｌとを開放させた状態にし、反転画像Ｇ２が表示される期間中は右目用シャッタ３５Ｒと左目用シャッタ３５Ｌとを閉鎖させた状態に制御する。したがって、権限ユーザは、眼鏡装置８ａを介してスクリーン７ａに投影される表示画像を視認すると、通常画像Ｇ１と反転画像Ｇ２とが交互に入れ替わる表示画像のうちから通常画像Ｇ１のみを視認することができるようになる。
【００７９】
図１１は、各ユーザが眼鏡装置８ａを介して秘密情報が含まれる表示画像を視認した場合の視認画像の一例を示す図である。
【００８０】
図１１（ａ）は、非権限ユーザが視認する視認画像Ｇ３である。非権限ユーザは上述したように通常画像Ｇ１と反転画像Ｇ２とが所定のフレームレートで入れ替わる表示画像をそのままの状態で視認するため、非権限ユーザによって視認される視認画像Ｇ３は、通常画像Ｇ１と反転画像Ｇ２とを合成した画像となる。この場合、秘密領域Ｒ１は、通常画像Ｇ１の濃度値と反転画像Ｇ２の濃度値とが平均化された画像となる。そのため、非権限ユーザは、図１１（ａ）に示すように秘密領域Ｒ１が中間濃度値で塗りつぶされた視認画像Ｇ３を視認することとなり、秘密情報の内容を把握することができない。尚、眼鏡装置８ａを装着することなく、表示装置４ａによって表示される表示画像を裸眼で視認する場合にも視認画像Ｇ３を視認することになり、秘密情報の内容を把握することができない。
【００８１】
これに対し、図１１（ｂ）は、権限ユーザが視認する視認画像Ｇ１である。権限ユーザは眼鏡装置８ａを装着することにより、上述したように通常画像Ｇ１のみを視認することができるため、視認画像Ｇ１は通常画像Ｇ１と同じ画像となる。そのため、権限ユーザは、図１１（ｂ）に示すように秘密領域Ｒ１に含まれる秘密情報の内容を把握することができるようになる。
【００８２】
このように本実施形態では、表示対象となる画像に秘密領域Ｒ１を設定し、さらにその秘密領域Ｒ１に含まれる秘密情報を視認するための権限レベルを設定することにより、特定のユーザにのみ秘密情報を視認させることができるようになる。それ故、ＴＶ会議などの用いる資料の中に秘密情報が含まれる場合でも、プレゼンタは事前にそのような秘密情報を削除した資料を作り直したり、或いは公衆画像を準備して秘密情報を含む資料画像と組み合わせたりする作業を行う必要がなくなるという利点がある。
【００８３】
次に画像処理装置２ａにおける具体的な動作について説明する。図１２および図１３は、画像処理装置２ａにおいて行われる処理手順の一例を示すフローチャートである。尚、この処理は、制御部１０のＣＰＵ１０ａが上述した処理プログラム２０を実行することにより行われるものである。画像処理装置２ａは、この処理を開始すると、まずプレゼンタによる指示操作に基づき画像データ２１の登録を行う（ステップＳ１０）。次に画像処理装置２ａは、プレゼンタによる指示操作に基づいて視認管理情報２２の登録を行う（ステップＳ１１）。このとき画像処理装置２ａは、第２拠点の画像処理装置２ｂに登録すべき視認管理情報２２を画像処理装置２ｂに送信する。これにより、ＴＶ会議などが開始される前の事前準備が完了する。
【００８４】
その後、プレゼンタによって会議開始指示が入力されると（ステップＳ１２）、画像処理装置２ａは、第２拠点の画像処理装置２ｂとの接続処理を行い、画像処理装置２ｂとの間でデータ通信を行うことが可能な状態とする（ステップＳ１３）。そしてプレゼンタの指示に基づき、記憶装置１７に記憶された画像データ２１を詠み出す（ステップＳ１４）。このとき画像データ２１に複数のページが含まれる場合には、１ページ分の画像データ２１が読み出される。そして以後、ステップＳ１４の処理が行われる度に読み出されるページが変更されていく。
【００８５】
１ページ分の画像データ２１の読み出しが終了すると、画像処理装置２ａは、第１拠点の眼鏡装置８ａに対して制御信号の送出を開始する（ステップＳ１５）。このとき送出される制御信号はデフォルト設定されている制御信号であり、例えば参加者全員の眼鏡装置８ａに対して表示装置４ａによって表示される表示画像をそのまま視認させるための視認不可信号の送出が開始される。
【００８６】
そして画像処理装置２ａは、ステップＳ１４で読み出した１ページ分の画像データ２１に基づいて表示画像を生成するための表示画像生成処理を行う（ステップＳ１６）。図１３は、この表示画像生成処理（ステップＳ１６）の詳細な処理手順の一例を示すフローチャートである。画像処理装置２ａは、この処理を開始すると、まずステップＳ１４で読み出された画像データ２１の内容をプレゼンタに確認させるための表示処理を行う（ステップＳ３１）。そして画像処理装置２ａは、画像データ２１をプレゼンタに対して表示している状態でプレゼンタによって行われる秘密領域Ｒ１の設定操作を受け付けると共に（ステップＳ３２）、権限レベルの設定操作を受け付ける（ステップＳ３３）。その後、画像処理装置２ａは、プレゼンタによって確認終了指示が入力されたか否かを判断し（ステップＳ３４）、確認終了指示が入力していない場合は、ステップＳ３１に戻って確認のための表示処理を継続する。これに対し、プレゼンタによって確認終了指示が入力された場合（ステップＳ３４でＹＥＳ）、画像処理装置２ａは、プレゼンタによって画像データ２１に秘密領域Ｒ１が設定されたか否かを判断する（ステップＳ３５）。
【００８７】
そしてプレゼンタによって画像データ２１に秘密領域Ｒ１の設定が行われていない場合（ステップＳ３５でＮＯ）、画像処理装置２ａは、１ページ分の画像データ２１に基づいて表示画像を生成する（ステップＳ３６）。この処理では、反転画像は生成されず、通常画像のみで構成される表示画像が生成される。
【００８８】
これに対し、プレゼンタによって画像データ２１に秘密領域Ｒ１の設定が行われている場合（ステップＳ３５でＹＥＳ）、画像処理装置２ａは、まず１ページ分の画像データ２１に基づいて通常画像Ｇ１を生成し（ステップＳ３７）、次に通常画像Ｇ１に含まれる秘密領域Ｒ１の部分を反転させた反転画像Ｇ２を生成する（ステップＳ３８）。そして画像処理装置２ａは、通常画像Ｇ１と反転画像Ｇ２とを交互に配置した表示画像を生成する（ステップＳ３９）。さらに画像処理装置２ａは、ステップＳ３９で生成した表示画像の付加情報として、プレゼンタにより設定された権限レベルを示す権限情報２３を表示画像に付加する（ステップＳ４０）。そして画像処理装置２ａは、上記のようにして生成される表示画像をメモリ１０ｂなどに一旦出力する（ステップＳ４１）。以上で、表示画像生成処理（ステップＳ１６）が終了する。
【００８９】
図１２に戻り、次に画像処理装置２ａは、メモリ１０ｂなどに出力された表示画像を取得し、その表示画像に秘密領域Ｒ１が設定されているか否かを判断する（ステップＳ１７）。その結果、秘密領域Ｒ１が設定されている場合（ステップＳ１７でＹＥＳ）、画像処理装置２ａは、その秘密領域Ｒ１に設定されている権限レベルを確認する（ステップＳ１８）。そして画像処理装置２ａは、記憶装置１７から視認管理情報２２を読み出して参照し（ステップＳ１９）、秘密領域Ｒ１に含まれる秘密情報を視認可能な権限ユーザを特定する（ステップＳ２０）。そして視認管理情報２２に基づいて、その権限ユーザの眼鏡装置８ａを特定し（ステップＳ２１）、権限ユーザの眼鏡装置８ａに設定されている識別情報３６を含む視認許可信号の送出を開始する（ステップＳ２２）。これにより、権限ユーザの眼鏡装置８ａが受信する制御信号は、デフォルト設定によって送出される制御信号から視認許可信号に切り替わる。一方、表示画像に秘密領域Ｒ１が設定されていなかった場合（ステップＳ１７でＮＯ）、上述したステップＳ１８〜Ｓ２２の処理はスキップする。
【００９０】
そして画像処理装置２ａは、表示画像の表示処理を開始する（ステップＳ２３）。すなわち、表示装置４ａに対して表示画像の出力を開始し、スクリーン７ａに対して表示画像の投影表示を行わせる。この表示画像に秘密情報が含まれる場合、権限ユーザが装着する眼鏡装置８ａは、スクリーン７ａに表示される表示画像のフレームレートと同期して動作し、通常画像Ｇ１が表示される期間中は権限ユーザにその通常画像Ｇ１を視認させ、反転画像Ｇ２が表示される期間中はその反転画像Ｇ２を遮断するので権限ユーザに通常画像Ｇ１のみを視認させる。また画像処理装置２ａは、ステップＳ２３において表示画像の表示処理を開始することに伴って、表示画像を第２拠点の画像処理装置２ｂに送信する処理を開始する。
【００９１】
その後、画像処理装置２ａは、プレゼンタによってページを更新させる指示が入力されたか否かを判断し（ステップＳ２４）、ページ更新指示を入力した場合にはステップＳ１４に戻って次の１ページ分の画像データ２１の読み出しを行うと共に、上述した処理（ステップＳ１４〜Ｓ２３）を繰り返す。これに対し、プレゼンタによるページ更新指示を入力していない場合（ステップＳ２４でＮＯ）、画像処理装置２ａは、会議が終了するか否かを判断する（ステップＳ２５）。そして会議が終了しない場合には、ステップＳ２３に戻って表示画像の表示処理を継続させる一方、会議が終了する場合にはこの処理を終了する。
【００９２】
次に、第２拠点の画像処理装置２ｂについて説明する。尚、以下においては、第２拠点の画像処理装置２ｂにおいて予め視認管理情報２２が記憶装置１７に記憶されており、その状態でＴＶ会議などが開始される場合について説明する。
【００９３】
図１４は、第２拠点の画像処理装置２ｂの機能構成を示すブロック図である。画像処理装置２ｂは、第１拠点の画像処理装置２ａからＴＶ会議などを開始する信号を受信した場合、制御部１０において上述したＣＰＵ１０ａが処理プログラム２０を実行することにより、表示画像取得部５１、秘密領域検出部５２、表示制御部５３、制御信号発生部５４および視認制御部５５として機能する。
【００９４】
表示画像取得部５１は、ネットワークインタフェース１１を介して第１拠点の画像処理装置２ａから送信される表示画像を取得する処理部である。したがって、表示画像取得部５１が取得する表示画像に秘密情報が含まれる場合、その表示画像は通常画像Ｇ１と反転画像Ｇ２とが交互に配置された画像となっている。この表示画像取得部５１は、ネットワークインタフェース１１を介して表示画像を取得すると、その表示画像を秘密領域検出部５２および表示制御部５３に出力する。
【００９５】
秘密領域検出部５２は、表示画像取得部５１によって取得される表示画像に秘密領域Ｒ１が設定されているか否かを検出する処理部である。すなわち、秘密領域検出部５２は、所定のフレームレートで更新される連続した２枚の画像を合成し、その合成した画像において濃度変調がキャンセルされる部分が存在するか否かを検知する。そして連続した２枚の画像間で濃度変調がキャンセルされる部分がある場合、表示画像に秘密領域Ｒ１が設定されていると判断する。これに対し、連続した２枚の画像間で濃度変調がキャンセルされる部分がない場合、表示画像には秘密領域Ｒ１が設定されておらず、秘密情報を含まない画像であると判断する。そして秘密領域検出部５２は、そのような判断結果を制御信号発生部５４に出力する。
【００９６】
また秘密領域検出部５２は、表示画像に秘密領域Ｒ１が設定されていると判断した場合、その表示画像に付加されている権限情報２３を参照し、秘密領域Ｒ１に含まれる秘密情報を視認することができる権限レベルを特定する。そして秘密領域検出部５２は、その権限レベルを制御信号発生部５４に出力する。
【００９７】
表示制御部５３は、表示画像取得部５１から入力する表示画像を表示装置４ｂに出力することにより、表示装置４ｂに表示画像を投影表示させる処理部である。この表示制御部５３は、表示画像取得部５１から入力する表示画像を所定のフレームレートで逐次更新させながら表示させるように表示装置４ｂを制御する。したがって、表示画像に秘密情報が含まれる場合、表示制御部５３から表示装置４ｂに出力される表示画像は、図９に示したものと同様である。それ故、表示装置４ｂは、表示制御部５３から出力される通常画像と反転画像とを所定のフレームレートで交互に投影表示するようになる。また表示制御部５３は、表示画像を表示装置４ｂに出力することに伴い、制御信号発生部５４にフレームレートに同期した制御信号を発生させるために所定のフレームレートでの画像を切り替えるタイミングを制御信号発生部５４に通知する。特に、表示画像に秘密情報が含まれる場合には、通常画像Ｇ１と反転画像Ｇ２とを交互に切り替えるタイミングを通知する。
【００９８】
制御信号発生部５４は、表示画像取得部５１によって取得される表示画像に基づいて、第２拠点における各参加者が装着する眼鏡装置８ｂに対して個別に送出するための制御信号を発生させる処理部である。この制御信号発生部５４は、表示画像取得部５１によって取得される表示画像に秘密情報が含まれている場合、秘密領域検出部５２から入力する権限レベルに基づいて、記憶装置１７に記憶されている視認管理情報２２を参照し、表示画像に含まれる秘密情報を視認可能にするユーザを特定する。そして、その特定したユーザに対応する登録識別情報２２ｃの項目を参照することによりそのユーザが所持する眼鏡装置８ｂに対して個別に設定されている識別情報３６を抽出する。制御信号発生部５４は、その特定したユーザに対して通常画像のみを視認させるための視認許可信号を生成し、その視認許可信号に視認管理情報２２から抽出した識別情報３６を付加して視認制御部５５に出力する。
【００９９】
また制御信号発生部５４は、記憶装置１７に記憶されている視認管理情報２２を参照し、表示画像に含まれる秘密情報を視認できないようにするユーザを特定すると共に、その特定したユーザに対応する登録識別情報２２ｃの項目を参照することによりそのユーザが所持する眼鏡装置８ｂに対して個別に設定されている識別情報３６を抽出する。そして制御信号発生部５４は、その特定したユーザに対して表示装置４ｂによって表示される表示画像をそのまま視認させるための視認不可信号を生成し、その視認不可信号に視認管理情報２２から抽出した識別情報３６を付加して視認制御部５５に出力する。
【０１００】
これに対し、表示画像に秘密情報が含まれていない場合、制御信号発生部５４は、第１拠点の画像処理装置２ａと同様に、表示装置４ｂによって表示される表示画像を各ユーザに視認させるためにデフォルト設定されている制御信号を発生させ、視認管理情報２２の登録識別情報２２ｃに登録されている全ての識別情報３６を付加して視認制御部５５に出力する。  
【０１０１】
視認制御部５５は、制御信号発生部５４から入力する制御信号を無線通信機１２に対して出力することにより、無線通信機１２にその制御信号を送出させ、第２拠点で各参加者が装着する眼鏡装置８ｂの動作を制御する。この視認制御部５５が無線通信機１２を介して制御信号を眼鏡装置８ｂに送出することにより、眼鏡装置８ｂは表示装置４ｂによって投影表示される表示画像のフレームレートに同期した動作を行うようになる。
【０１０２】
すなわち、表示装置４ｂによって秘密情報を含む表示画像が投影表示されている場合、その秘密情報を視認する権限を有さない非権限ユーザに装着された眼鏡装置８ｂは、視認不可信号を受信し、その視認不可信号に基づいて右目用シャッタ３５Ｒと左目用シャッタ３５Ｌの開閉状態を制御するようになる。そのため、非権限ユーザは、上述したように通常画像Ｇ１と反転画像Ｇ２とが所定のフレームレートで入れ替わる表示画像をそのままの状態で視認し、通常画像Ｇ１と反転画像Ｇ２とを合成した画像を知覚するようになり、秘密情報の内容を把握することができない。
【０１０３】
これに対し、その秘密情報を視認する権限を有する権限ユーザに装着された眼鏡装置８ｂは、視認許可信号を受信し、その視認許可信号に基づいて右目用シャッタ３５Ｒと左目用シャッタ３５Ｌの開閉状態を制御するようになる。そのため、権限ユーザは、通常画像Ｇ１のみを視認するようになり、秘密領域Ｒ１に含まれる秘密情報の内容を把握することができる。
【０１０４】
次に画像処理装置２ｂにおける具体的な動作について説明する。図１５は、画像処理装置２ｂにおいて行われる処理手順の一例を示すフローチャートである。尚、この処理は、制御部１０のＣＰＵ１０ａが上述した処理プログラム２０を実行することにより行われるものである。画像処理装置２ｂは、この処理を開始すると、まずプレゼンタによる第１拠点からの指示操作に基づいて視認管理情報２２の登録を行う（ステップＳ５０）。第２拠点における事前準備はこれで完了する。
【０１０５】
その後、第１拠点の画像処理装置２ａから接続要求を受信すると、画像処理装置２ｂは、第１拠点の画像処理装置２ａとの接続処理を行い、画像処理装置２ａとの間でデータ通信を行うことが可能な状態とする（ステップＳ５１）。そして第１拠点の画像処理装置２ａとの接続処理が完了すると、画像処理装置２ｂは、第２拠点の眼鏡装置８ｂに対して制御信号の送出を開始する（ステップＳ５２）。このとき送出される制御信号はデフォルト設定されている制御信号であり、例えば参加者全員の眼鏡装置８ｂに対して表示装置４ｂによって表示される表示画像をそのまま視認させるための視認不可信号の送出が開始される。
【０１０６】
そして画像処理装置２ｂは、第１拠点の画像処理装置２ａから送信される表示画像を受信すると（ステップＳ５３）、その表示画像に秘密領域Ｒ１が含まれるか否かを検知するための秘密領域検知処理を行い（ステップＳ５４）、秘密領域Ｒ１の設定があるか否かを判断する（ステップＳ５５）。その結果、表示画像に秘密領域Ｒ１が設定されている場合（ステップＳ５５でＹＥＳ）、画像処理装置２ｂは、その秘密領域Ｒ１に設定されている権限レベルを確認する（ステップＳ５６）。そして画像処理装置２ｂは、記憶装置１７から視認管理情報２２を読み出して参照し（ステップＳ５７）、秘密領域Ｒ１に含まれる秘密情報を視認可能な権限ユーザを特定する（ステップＳ５８）。そして視認管理情報２２に基づいて、その権限ユーザの眼鏡装置８ｂを特定し（ステップＳ５９）、権限ユーザの眼鏡装置８ｂに設定されている識別情報３６を含む視認許可信号の送出を開始する（ステップＳ６０）。これにより、第２拠点において権限ユーザの眼鏡装置８ｂが受信する制御信号は、デフォルト設定によって送出される制御信号から視認許可信号に切り替わる。一方、表示画像に秘密領域Ｒ１が設定されていなかった場合（ステップＳ５５でＮＯ）、上述したステップＳ５６〜Ｓ６０の処理はスキップする。
【０１０７】
そして画像処理装置２ｂは、表示画像の表示処理を開始する（ステップＳ６１）。すなわち、表示装置４ｂに対して表示画像の出力を開始し、スクリーン７ｂに対して表示画像の投影表示を行わせる。この表示画像に秘密情報が含まれる場合、権限ユーザが装着する眼鏡装置８ｂは、スクリーン７ｂに表示される表示画像のフレームレートと同期して動作し、通常画像Ｇ１が表示される期間中は権限ユーザにその通常画像Ｇ１を視認させ、反転画像Ｇ２が表示される期間中はその反転画像Ｇ２を遮断するので権限ユーザに通常画像Ｇ１のみを視認させることができる。
【０１０８】
その後、画像処理装置２ｂは、第１拠点の画像処理装置２ａからページ更新の通知を受信したか否かを判断し（ステップＳ６２）、ページ更新の通知を受信した場合にはステップＳ５２に戻って全ての眼鏡装置８ｂに送出する制御信号を再びデフォルト設定された信号に戻すと共に、上述した処理（ステップＳ５２〜Ｓ６１）を繰り返す。これに対し、ページ更新の通知を受信していない場合（ステップＳ６２でＮＯ）、画像処理装置２ｂは、会議が終了するか否かを判断する（ステップＳ６３）。そして会議が終了しない場合には、ステップＳ６１に戻って表示画像の表示処理を継続させる一方、会議が終了する場合にはこの処理を終了する。
【０１０９】
このように本実施形態では、第１拠点および第２拠点のいずれにおいても、秘密情報を視認する権限を有する権限ユーザだけが表示画像に含まれる秘密情報の内容を知ることができ、非権限ユーザは秘密情報の内容を知ることができない。そのため、プレゼンタは、秘密情報を含む資料の画像データ２１に基づいて投影表示を開始するまでに、画像データ２１に対して秘密情報が含まれる部分に秘密領域Ｒ１を設定すると共に、その秘密情報を視認可能にする権限レベルを設定すれば、非権限ユーザに対して秘密情報が知られてしまうことを防止することができる。すなわち、プレゼンタにとっては、秘密情報を含む資料から秘密情報を削除して事前に別の資料を作成する必要はなく、手元にある資料に対して秘密領域Ｒ１を設定したり、権限レベルを設定したりするだけで良いため、ＴＶ会議などが開始されるまでに行わなければならない作業負担が軽減されるようになる。
【０１１０】
以上のように本実施形態の表示画像視認制御システム１では、表示画像視認制御装置として機能する画像処理装置２ａ，２ｂに、画像視認装置となる眼鏡装置８ａ，８ｂに設定される識別情報３６と、表示画像に付与される権限情報２３とを対応付けた視認管理情報２２を予め記憶しておく。そして各画像処理装置２ａ，２ｂにおいて取得される表示画像が、秘密情報を含む通常画像Ｇ１と、通常画像Ｇ１の少なくとも秘密情報が含まれる部分を反転させた反転画像Ｇ２とが１枚ずつ交互に配置されると共に、通常画像Ｇ１を視認するための権限情報２３が付与された表示画像である場合、その表示画像に付加された権限情報２３に基づいて視認管理情報２２を参照することにより、眼鏡装置８ａ，８ｂに対して、ユーザに通常画像Ｇ１のみを視認させるための視認許可信号と、所定のフレームレートで逐次更新して表示される表示画像をそのまま視認させる視認不可信号とのいずれか一方が送出されるようになっている。そして眼鏡装置８ａ，８ｂは、画像処理装置２ａ，２ｂから送出される視認許可信号を受信した場合、その視認許可信号に基づいて動作することにより、所定のフレームレートで逐次更新して表示される表示画像のうちから通常画像Ｇ１のみをユーザに視認させるように動作する。また画像処理装置２ａ，２ｂから送出される視認不可信号を受信した場合、眼鏡装置８ａ，８ｂは、その視認不可信号に基づいて動作することにより、所定のフレームレートで逐次更新して表示される表示画像をそのままユーザに視認させるように動作する。
【０１１１】
このような構成により、複数のユーザに対して表示画像を表示する際、それら複数のユーザが眼鏡装置８ａ，８ｂを装着していたとしても、特定のユーザに対してのみ特別な画像を視認させることができるようになる。
【０１１２】
また本実施形態では、画像処理装置２ａが、表示装置４ａ，４ｂに表示するための画像データ２１を予め記憶するようになっており、その画像データ２１に対して秘密領域Ｒ１を設定する秘密領域設定部４２と、画像データ２１に対して秘密領域Ｒ１が設定された場合にその画像データ２１に基づいて通常画像Ｇ１と反転画像Ｇ２とを生成することにより、表示画像を生成する表示画像生成部４３とを備えている。そのため、予め記憶される画像データ２１に秘密情報が含まれる場合であっても、その秘密情報が含まれる部分に秘密領域Ｒ１を設定することにより、特定のユーザに対してのみ通常画像Ｇ１を視認させるための表示画像が生成されるようになる。
【０１１３】
また本実施形態の画像処理装置２ａは、入力する画像データに基づいて印刷用紙などのシート材に印刷出力を行うプリンタ部１６を備えている。そして上述したように、画像処理装置２ａは、記憶装置１７に記憶された資料に関する画像データ２１に基づいて印刷出力を行うことにより、各参加者への配布資料を出力することも可能である。そして画像処理装置２ａは、記憶装置１７から読み出した画像データ２１を読み出して印刷出力を行うとき、その画像データ２１に対して秘密領域Ｒ１が設定されている場合には、その画像データ２１において少なくとも秘密領域Ｒ１が設定されている部分に対して秘密情報を隠蔽するためのマスク処理を施して印刷出力を行うように構成される。このようなマスク処理として種々の処理が考えられるが、単に秘密情報を塗りつぶすだけの処理でも構わない。このように秘密領域Ｒ１が設定された画像データ２１に基づいて印刷出力を行う際には、秘密領域Ｒ１に対してマスク処理を行った状態で印刷出力を行うことにより、各参加者に配布するための資料に秘密情報がそのまま印刷されてしまうことを防止することができる。
【０１１４】
ところで、今後は、右目用画像データと左目用画像データとを含む３Ｄ画像データに基づいて、右目用画像と左目用画像とを所定のフレームレートで交互に表示すると共に、眼鏡装置８ａ，８ｂをそのフレームレートに同期させて動作させることにより、３Ｄ画像データに基づいて立体的な画像表示を行うことが可能な表示装置がさらに普及していくと考えられる。これに伴い、会議などに用いられる資料に関する画像データ２１も右目用画像と左目用画像とを含む３Ｄ画像データとして構成され、ＴＶ会議などでは立体的な表示画像を各参加者に視認させることも行われるようになっていくと考えられる。このような場合でも、３Ｄ画像データとして構成される画像データ２１には、全ての参加者に視認させることができない秘密情報が含まれることがある。そして本実施形態において上述した技術は、画像データ２１が３Ｄ画像データして構成され、その画像データ２１に含まれる秘密情報の部分に対して秘密領域Ｒ１が設定される場合であっても適用可能なものである。以下、画像データ２１が３Ｄ画像データである場合について説明する。
【０１１５】
画像データ２１が３Ｄ画像データである場合、通常画像Ｇ１と反転画像Ｇ２とを交互に配置する手法として２つの手法がある。
【０１１６】
第１の手法は、３Ｄ画像データに基づく立体表示が可能な状態を保持しつつ通常画像Ｇ１と反転画像Ｇ２とを交互に配置する手法である。図１６は、３Ｄ画像データに基づく立体表示が可能な状態を保持しつつ通常画像Ｇ１と反転画像Ｇ２とを交互に配置する手法の一例を示す図である。この第１の手法では、図１６に示すように３Ｄ画像データを構成する右目用画像データと左目用画像データのそれぞれに基づいて通常画像Ｇ１と反転画像Ｇ２とが生成される。３Ｄ画像データに基づいて立体的な表示を行う場合、右目用画像データに基づく画像と、左目用画像データに基づく画像とが所定のフレームレートに基づいて１フレームずつ交互に表示される。図例の場合、奇数フレームで右目用画像データに基づく画像が表示され、偶数フレームで左目用画像データに基づく画像が表示される。そのため、表示対象となる３Ｄ画像データに対して秘密領域Ｒ１が設定される場合、右目用画像データに基づいて生成される通常画像Ｇ１と反転画像Ｇ２とは、奇数フレームが表示されるタイミングで交互に表示されるように配置される。また左目用画像データに基づいて生成される通常画像Ｇ１と反転画像Ｇ２とは、偶数フレームが表示されるタイミングで交互に表示されるように配置される。
【０１１７】
その結果、３Ｄ画像データに秘密領域Ｒ１が設定される場合の表示画像は、図１６に示すように、１フレーム目で右目用画像データに基づいて生成される通常画像Ｇ１が表示され、２フレーム目で左目用画像データに基づいて生成される通常画像Ｇ１が表示される。そして３フレーム目で右目用画像データに基づいて生成される反転画像Ｇ２が表示され、４フレーム目で左目用画像データに基づいて生成される反転画像Ｇ２が表示される。５フレーム目以降は、これの繰り返しとなる。
【０１１８】
このような表示画像が表示されるとき、秘密情報を視認する権限を有する権限ユーザが装着する眼鏡装置８ａ，８ｂは、１フレーム目の通常画像Ｇ１が表示される期間において右目用シャッタ３５Ｒだけを開放し、２フレーム目の通常画像Ｇ１が表示される期間において左目用シャッタ３５Ｌだけを開放する。３フレーム目および４フレーム目が表示される期間中は右目用シャッタ３５Ｒおよび左目用シャッタ３５Ｌは閉鎖した状態となる。そして５フレーム目以降は同様の動作が繰り返される。
【０１１９】
一方、秘密情報を視認する権限を有さない非権限ユーザが装着する眼鏡装置８ａ，８ｂは、１フレーム目の通常画像Ｇ１が表示される期間において右目用シャッタ３５Ｒだけを開放し、２フレーム目の通常画像Ｇ１が表示される期間において左目用シャッタ３５Ｌだけを開放する。また３フレーム目の反転画像Ｇ２が表示される期間において右目用シャッタ３５Ｒだけを開放し、４フレーム目の通常画像Ｇ２が表示される期間において左目用シャッタ３５Ｌだけを開放する。そして５フレーム目以降は同様の動作が繰り返される。
【０１２０】
上記のような動作を行うことにより、３Ｄ画像データに基づく立体的な表示を継続させつつ、権限ユーザには立体表示に含まれる秘密情報を視認可能とし、非権限ユーザには立体表示に含まれる秘密情報を視認させないようにすることができる。また、眼鏡装置８ａ，８ｂを装着していない参加者が存在する場合でも、その参加者は秘密情報を視認することができない。そのため、権限ユーザに対してのみ秘密情報を視認させるという点においては良好なものとなる。
【０１２１】
しかしその一方、上記のような動作を行うように構成すると、権限ユーザが立体的な表示画像を視認するとき、図１６に示すように３フレーム目と４フレーム目との連続する２フレームの画像が表示される期間Ｔ２の間、権限ユーザは画像を視認しないことになる。そのため、権限ユーザが通常画像Ｇ１を視認するときに表示画像のちらつきを発生させ、権限ユーザにとっては非常に見づらい表示画像となってしまう。そこで、このような権限ユーザが表示画像の視認するときのちらつきを抑えるためには、次の第２の手法を採用することが好ましい。
【０１２２】
第２の手法は、表示対象となる３Ｄ画像データに秘密領域Ｒ１が設定されている場合、３Ｄ画像データを２Ｄ画像データに切り替えて立体的な表示態様から平面的な表示態様に変更し、平面的な表示態様で通常画像Ｇ１と反転画像Ｇ２とを交互に配置する手法である。図１７は、３Ｄ画像データを２Ｄ画像データに切り替えて平面的な表示態様で通常画像Ｇ１と反転画像Ｇ２とを交互に配置する手法の一例を示す図である。この第２の手法では、表示対象となる３Ｄ画像データに秘密領域Ｒ１が設定されている場合、その３Ｄ画像データを構成する右目用画像データと左目用画像データとのいずれか一方を選択して２Ｄ画像データとして採用する。そして２Ｄ画像データとして採用した画像データに基づいて通常画像Ｇ１と反転画像Ｇ２とが生成される。
【０１２３】
この第２の手法では、立体的な表示が行われないため、上記のようにして生成される通常画像Ｇ１と反転画像Ｇ２とが交互に配置されて表示画像が生成される。すなわち、図１７に示すように、右目用画像データと左目用画像データとのいずれか一方に基づいて生成される通常画像Ｇ１と反転画像Ｇ２とが所定のフレームレートに基づいて１フレームずつ交互に表示された表示画像となる。
【０１２４】
このような表示画像が表示されるとき、秘密情報を視認する権限を有する権限ユーザが装着する眼鏡装置８ａ，８ｂは、１フレーム目の通常画像Ｇ１が表示される期間において右目用シャッタ３５Ｒと左目用シャッタ３５Ｌの双方を開放し、２フレーム目の反転画像Ｇ２が表示される期間において右目用シャッタ３５Ｒと左目用シャッタ３５Ｌの双方を閉鎖する。そして３フレーム目以降はこれと同様の動作が繰り返される。
【０１２５】
一方、秘密情報を視認する権限を有さない非権限ユーザが装着する眼鏡装置８ａ，８ｂは、１フレーム目の通常画像Ｇ１が表示される期間および２フレーム目の反転画像Ｇ２が表示される期間を通して右目用シャッタ３５Ｒと左目用シャッタ３５Ｌの双方を開放した状態に制御する。３フレーム目以降もこれと同様である。つまり、非権限ユーザが装着する眼鏡装置８ａ，８ｂでは、右目用シャッタ３５Ｒと左目用シャッタ３５Ｌとが常時開放した状態となる。
【０１２６】
上記のような動作を行うことにより、権限ユーザには３Ｄ画像データに含まれていた秘密情報を視認可能とし、非権限ユーザにはその秘密情報を視認させないようにすることができる。また、眼鏡装置８ａ，８ｂを装着していない参加者が存在する場合でも、その参加者には秘密情報を視認させないようにすることができる。そして、上記のような動作を行うことにより、第１の手法と比較すると、権限ユーザが表示画像を視認できない期間Ｔ２を短くすることができるため、表示画像のちらつきを抑制することができ、権限ユーザにとっては見やすい表示画像となる。
【０１２７】
したがって、本実施形態では、画像処理装置２ａの記憶装置１７に、右目用画像と左目用画像とを所定のフレームレートで交互に表示するための３Ｄ画像データが記憶されており、しかもその３Ｄ画像データに対して秘密領域Ｒ１が設定されている場合、右目用画像と左目用画像のいずれか一方に基づいて通常画像Ｇ１と反転画像Ｇ２を生成すると共に、その通常画像Ｇ１と反転画像Ｇ２とを１枚ずつ交互に配置した表示画像を生成するように構成されることがより好ましい。
【０１２８】
（第２の実施の形態）
次に第２の実施の形態について説明する。図１８は、本発明の第２の実施の形態における表示画像視認制御システム１ａの概略構成の一例を示す図である。この表示画像視認制御システム１ａは、第１の実施の形態で説明した表示画像視認制御システム１とほぼ同様の構成を有している。本実施形態の表示画像視認制御システム１ａが第１の実施の形態と異なる点は、本実施形態では画像視認装置として撮像装置２９ａ，２９ｂが用いられる点である。
【０１２９】
すなわち、第１の実施の形態では、眼鏡装置８ａ，８ｂが画像視認装置として用いられる場合を例示したが、ＴＶ会議に参加する参加者によっては眼鏡装置８ａ，８ｂの装着を煩わしく思うこともある。そのため、本実施形態では、参加者が所持する撮像装置２９ａ，２９ｂを介してスクリーン７ａ，７ｂに表示される表示画像を視認させることにより、権限ユーザには秘密情報を視認させることができるようにした形態について説明する。
【０１３０】
図１８に示すように、本実施形態では、第１拠点においてＴＶ会議などに参加する参加者が撮像装置２９ａを所持し、第２拠点においてＴＶ会議などに参加する参加者が撮像装置２９ｂを所持する。そして表示画像視認制御装置として機能する画像処理装置２ａ，２ｂは、各拠点において各参加者が所持する撮像装置２９ａ，２９ｂの動作を制御するように構成される。
【０１３１】
図１９は、撮像装置２９ａ，２９ｂのハードウェア構成の一例を示すブロック図である。上述したように、撮像装置２９ａ，２９ｂは、表示装置４ａ，４ｂによって表示される表示画像をユーザに視認させるための画像視認装置として利用されるものである。図１９に示すように、撮像装置２９ａ，２９ｂは、撮影レンズ６１、撮像素子６２、信号処理回路６３、画像処理部６４、画像表示部６５、撮影制御部６６、記録処理部６７、記録媒体６８、無線通信部６９、信号解析部７０およびメモリ７１を備えて構成される。
【０１３２】
撮影レンズ６１は、撮像装置２９ａ，２９ｂの前方にある被写体から入射する光を撮像素子６２に結像させる光学レンズである。撮像素子６２は、受光面に多数の画素を有し、撮影レンズ６１を介して入射する光の光量に応じた電気信号（濃度値）を画素ごとに発生させることにより、受光面全体として被写体に関する画像信号を生成するものである。このような撮像素子６２は、例えばＣＣＤなどによって構成され、撮影制御部６６によってその動作が制御される。すなわち、撮像素子６２は、撮影制御部６６の制御によって被写体に関する画像信号を生成し、その画像信号を信号処理回路６３に出力する。信号処理回路６３は、撮像素子６２から入力する画像信号に対して各種の信号処理を行うものである。例えば、画像信号を増幅したり、画像信号に含まれるノイズ成分を除去したりする。また信号処理回路６３は、画像信号をアナログ信号からデジタル信号に変換する機能も有しており、画素ごとの濃度値をデジタルデータ化した画像データを出力する。
【０１３３】
画像処理部６４は、信号処理回路６３から出力される画像データを入力し、その画像データに対して各種の画像処理を施す処理部である。この画像処理部６４は、撮影制御部６６からの制御指令に基づいて動作し、画像データに対して各種の画像処理を施すように構成される。そして画像処理部６４は、撮影制御部６６から指示された画像処理を施した後、その処理済みの画像データを出力するように構成される。この画像処理部６４は、画像処理済みの画像データを、撮影制御部６６からの指示に基づいて画像表示部６５または記録処理部６７に出力する。
【０１３４】
画像表示部６５は、液晶ディスプレイなどで構成され、画像処理部６４から出力される画像データに基づいて画像表示を行うものである。また記録処理部６７は、撮影制御部６６から指令に基づいて動作し、画像処理部６４から出力される画像データをメモリカードなどの所定の記録媒体６８に記録するための処理部である。尚、撮影制御部６６は、例えば図示しないレリーズボタンがユーザによって押下されたときに記録処理部６７を動作させ、画像処理部６４から出力される画像データを記録媒体６８に記録させるように制御する。
【０１３５】
無線通信部６９は、画像処理装置２ａ，２ｂとの間で、例えば赤外線による近距離無線通信を行うためのものである。この無線通信部６９は、画像処理装置２ａ，２ｂから送出される制御信号を受信すると、その制御信号を信号解析部７０に出力する。
【０１３６】
信号解析部７０は、無線通信部６９によって受信される制御信号を解析する処理部である。信号解析部７０は、メモリ７１に格納されている識別情報７２を読み出し、その識別情報７２に基づいて制御信号を解析する。メモリ７１に格納されている識別情報７２は、各撮像装置２９ａ，２９ｂに対して個別に設定されている固有の情報である。つまり、各撮像装置２９ａ，２９ｂには、それぞれ値の異なる識別情報７２が予め設定されている。本実施形態では、このメモリ７１に格納されている識別情報７２が、上述した視認管理情報２２に登録識別情報２２ｃとして登録される識別情報である。
【０１３７】
信号解析部７０は、無線通信部６９によって受信される制御信号に付加された識別情報を抽出し、その識別情報がメモリ７１から読み出した識別情報７２と一致するか否かを判別する。その結果、制御信号に付加された識別情報がメモリ７１から読み出した識別情報７２と一致する場合、信号解析部７０は、無線通信部６９によって受信される制御信号を撮影制御部６６に出力する。
【０１３８】
第１の実施の形態でも説明したように、画像処理装置２ａ，２ｂから出力される制御信号は、表示装置４ａ，４ｂによってスクリーン７ａ，７ｂに表示される表示画像のフレームレートと同期した動作を行わせるための信号である。そのため、撮影制御部６６は、信号解析部７０から制御信号を入力すると、その制御信号に基づいて撮像素子６２および画像処理部６４を動作させ、表示装置４ａ，４ｂによってスクリーン７ａ，７ｂに表示される表示画像のフレームレートと同期した動作を行わせる。
【０１３９】
ここで本実施形態において画像処理装置２ａ，２ｂが撮像装置２９ａ，２９ｂに対して送出する制御信号について説明する。本実施形態においても、画像処理装置２ａ，２ｂの構成は、図８および図１４に示したものと同様である。そして表示画像に秘密情報が含まれる場合、制御信号発生部４５，５４は、権限ユーザの撮像装置２９ａ，２９ｂに対して送出する制御信号として、その権限ユーザが所持する撮像装置２９ａ，２９ｂに予め設定されている識別情報７２を付加して視認許可信号を生成する。また非権限ユーザの撮像装置２９ａ，２９ｂに送出する制御信号としては、その非権限ユーザが所持する撮像装置２９ａ，２９ｂに予め設定されている識別情報７２を付加して視認不可信号を生成する。
【０１４０】
本実施形態の制御信号発生部４５，５４において生成される視認許可信号は、例えば撮像装置２９ａ，２９ｂにおいて撮影が行われるタイミングを通常画像Ｇ１が表示されている期間に設定する制御信号となる。さらに通常画像Ｇ１のみを撮影して得られた画像データに基づいて画像表示部６５に通常画像Ｇ１のみを表示させる制御信号となる。
【０１４１】
また本実施形態の制御信号発生部４５，５４において生成される視認不可信号は、撮像装置２９ａ，２９ｂにおいて撮影が行われるタイミングを通常画像Ｇ１と反転画像Ｇ２との双方が表示されている期間に設定する信号となる。さらに通常画像Ｇ１と反転画像Ｇ２との双方を撮影して得られた画像データに基づいて画像表示部６５に通常画像Ｇ１と反転画像Ｇ２とを合成させた表示画像を表示させる制御信号となる。
【０１４２】
したがって、本実施形態において権限ユーザが所持する撮像装置２９ａ，２９ｂが、視認許可信号を受信した場合、撮影制御部６６がその視認許可信号に基づいて撮像素子６２および画像処理部６４の動作を制御することにより、画像表示部６５には通常画像Ｇ１のみが表示されるようになる。また、非権限ユーザが所持する撮像装置２９ａ，２９ｂが、視認不可信号を受信した場合、撮影制御部６６がその視認不可信号に基づいて撮像素子６２および画像処理部６４の動作を制御することにより、画像表示部６５には通常画像Ｇ１と反転画像Ｇ２とが合成された画像が表示されるようになる。
【０１４３】
図２０は、表示装置４ａ，４ｂによって表示される表示画像が秘密情報を含む場合の撮像装置２９ａ，２９ｂにおける動作の一例を示す図である。図２０に示すように、表示画像に秘密情報が含まれる場合、表示装置４ａ，４ｂによって表示される表示画像は、通常画像Ｇ１と反転画像Ｇ２とが所定のフレームレートで順次更新される画像となる。
【０１４４】
この場合、秘密情報を視認する権限を有さない非権限ユーザが所持する撮像装置２９ａ,２９ｂは、視認不可信号に基づいて、表示画像が更新されるタイミングに同期して動作する。すなわち、非権限ユーザの撮像装置２９ａ，２９ｂは、図２０に示すように、通常画像Ｇ１と反転画像Ｇ１とが表示されている間（時間Ｔ１０〜Ｔ１２）、撮像素子６２を露光し、それに得られた画像データに基づいて次の露光期間の間（時間Ｔ１２〜Ｔ１４）に通常画像Ｇ１と反転画像Ｇ２とが合成された画像を表示する。したがって、非権限ユーザは、撮像装置２９ａ，２９ｂの画像表示部６５を介してスクリーン７ａ，７ｂに表示される表示画像を視認すると、通常画像Ｇ１と反転画像Ｇ２とが合成された表示画像を視認することになる。
【０１４５】
これに対し、秘密情報を視認する権限を有する権限ユーザが所持する撮像装置２９ａ，２９ｂは、視認許可信号に基づいて、表示画像が更新されるタイミングに同期して動作する。すなわち、権限ユーザの撮像装置２９ａ，２９ｂは、図２０に示すように、通常画像Ｇ１が表示される期間（時間Ｔ１０〜Ｔ１１）だけの間、撮像素子６２を露光し、それに得られた画像データに基づいて次の通常画像Ｇ１と反転画像Ｇ２とが表示されている間（時間Ｔ１２〜Ｔ１４）に通常画像Ｇ１のみを表示し続ける。したがって、権限ユーザは、撮像装置２９ａ，２９ｂを介してスクリーン７ａ，７ｂに表示される表示画像を視認すると、通常画像Ｇ１と反転画像Ｇ２とが交互に入れ替わる表示画像のうちから通常画像Ｇ１のみを視認することができるようになる。
【０１４６】
図２１は、各ユーザが撮像装置２９ａ，２９ｂを介して秘密情報が含まれる表示画像を視認した場合の視認画像の一例を示す図である。
【０１４７】
図２１（ａ）は、非権限ユーザが視認する視認画像Ｇ３である。非権限ユーザは撮像装置２９ａ，２９ｂに設けられた画像表示部６５を介して通常画像Ｇ１と反転画像Ｇ２とが所定のフレームレートで入れ替わる表示画像を視認すると、図２１（ａ）に示すように通常画像Ｇ１と反転画像Ｇ２とが合成された視認画像Ｇ３を視認する。この場合、秘密領域Ｒ１は、通常画像Ｇ１の濃度値と反転画像Ｇ２の濃度値とが加算された画像となる。そのため、非権限ユーザは、図２１（ａ）に示すように秘密領域Ｒ１が一定の濃度値で塗りつぶされた視認画像Ｇ３を視認することとなり、秘密情報の内容を把握することができない。
【０１４８】
これに対し、図２１（ｂ）は、権限ユーザが視認する視認画像Ｇ１である。権限ユーザは撮像装置２９ａ，２９ｂに設けられた画像表示部６５を介して通常画像Ｇ１と反転画像Ｇ２とが所定のフレームレートで入れ替わる表示画像を視認すると、上述したように通常画像Ｇ１のみを視認することができるため、視認画像Ｇ１は通常画像Ｇ１と同じ画像となる。そのため、権限ユーザは、図２１（ｂ）に示すように秘密領域Ｒ１に含まれる秘密情報の内容を把握することができるようになる。
【０１４９】
また本実施形態では、撮影制御部６６が視認許可信号に基づいて画像処理部６４を制御するとき、画像処理部６４に対して通常画像Ｇ１のみを表示する動作であることを指示する。これに基づき、画像処理部６４は、画像表示部６５に対して出力する画像データに通常画像のみを表示している表示状態であることを示す報知画像を合成する。その結果、画像表示部６５によって表示される表示画像には、図２１（ｂ）に示すように、報知画像６５ａが含まれることとなり、権限ユーザは秘密情報を視認していることを把握することができるようになる。そのため、権限ユーザは、撮像装置２９ａ，２９ｂの画像表示部６５に表示されている内容を他のユーザに見られないように配慮することができ、秘密情報が他のユーザに漏れてしまうことを防止することができる。
【０１５０】
また本実施形態では、撮影制御部６６が視認許可信号に基づいて画像処理部６４を制御しているとき、記録処理部６７が画像データの記録処理を行うことを禁止する。そのため、画像処理部６４が通常画像Ｇ１のみを画像表示部６５に出力している状態のときには、記録処理部６７によって画像データが記録媒体６８に記録されることはない。したがって、通常画像Ｇ１のみの画像データが記録媒体６８に記録されてしまうことを防止することができるため、秘密情報が漏れてしまうことを防止することができる。
【０１５１】
本実施形態の表示画像視認制御システム１ａは、上述した点以外は第１の実施の形態と同様である。
【０１５２】
例えば、本実施形態の表示画像視認制御システム１ａにおいても、表示画像視認制御装置として機能する画像処理装置２ａ，２ｂに、画像視認装置となる撮像装置２９ａ，２９ｂに設定される識別情報７２と、表示画像に付与される権限情報２３とを対応付けた視認管理情報２２を予め記憶しておく。そして各画像処理装置２ａ，２ｂにおいて取得される表示画像が、秘密情報を含む通常画像Ｇ１と、通常画像Ｇ１の少なくとも秘密情報が含まれる部分を反転させた反転画像Ｇ２とが１枚ずつ交互に配置されると共に、通常画像Ｇ１を視認するための権限情報２３が付与された表示画像である場合、その表示画像に付加された権限情報２３に基づいて視認管理情報２２を参照することにより、撮像装置２９ａ，２９ｂに対して、ユーザに通常画像Ｇ１のみを視認させるための視認許可信号と、所定のフレームレートで逐次更新して表示される表示画像をそのまま視認させる視認不可信号とのいずれか一方が送出されるようになっている。そして撮像装置２９ａ，２９ｂは、画像処理装置２ａ，２ｂから送出される視認許可信号を受信した場合、その視認許可信号に基づいて動作することにより、所定のフレームレートで逐次更新して表示される表示画像のうちから通常画像Ｇ１のみをユーザに視認させるように動作する。また画像処理装置２ａ，２ｂから送出される視認不可信号を受信した場合、撮像装置２９ａ，２９ｂは、その視認不可信号に基づいて動作することにより、所定のフレームレートで逐次更新して表示される表示画像をそのままユーザに視認させるように動作する。
【０１５３】
このような構成であるため、本実施形態における権限ユーザは眼鏡装置８ａ，８ｂを装着せずとも、撮像装置２９ａ，２９ｂの画像表示部６５に表示される画像を見ることにより、秘密情報の内容を把握することができるようになる。また非権限ユーザの場合は、スクリーン７ａ，７ｂに表示される表示画像を裸眼で見ても秘密情報を視認できないし、また撮像装置２９ａ，２９ｂの画像表示部６５に表示される画像を見ても秘密情報を視認することができない。
【０１５４】
（変形例）
以上、本発明に関する実施の形態について説明したが、本発明は上述した内容に限られるものではなく、種々の変形例が適用可能であることは言うまでもない。
【０１５５】
例えば、上述した実施形態では、デジタル複合機などで構成される画像処理装置２ａ，２ｂが表示画像視認制御装置として機能する場合を例示したが、これに限られない。例えば、一般的なコンピュータに上述した処理プログラム２０をインストールしておき、その処理プログラム２０を実行させることでコンピュータを上述した表示画像視認制御装置として機能させるようにしても良い。
【０１５６】
また上述した実施形態では、表示画像視認制御システム１，１ａが主としてＴＶ会議に利用される場合を説明したが、このシステムの利用形態は必ずしもＴＶ会議には限られない。例えば上述した表示画像視認制御システム１，１ａは、学校やその他教育機関における学習システムとしても利用することが可能である。すなわち、画像データ２１に秘密領域Ｒ１を設定することに伴って画像データ２１に付加される権限情報２３の権限レベルを講義の進行中に講師が変更していくことにより、例えば、始めに問題文だけを全ての受講生が視認している状態から講義の進行に伴い、その問題文に対する解答を各受講生に対して順次に公開していくようにして利用することも可能である。
【０１５７】
また上述した実施形態では、画像処理装置２ａ，２ｂが画像視認装置として機能する眼鏡装置８ａ，８ｂ又は撮像装置２９ａ，２９ｂに対して制御信号を無線送信する場合を例示したが、これに限られるものでもない。
【符号の説明】
【０１５８】
１，１ａ  表示画像視認制御システム
２ａ，２ｂ  画像処理装置（表示画像視認制御装置）
４ａ，４ｂ  表示装置（表示手段）
８ａ，８ｂ  眼鏡装置（画像視認手段、画像視認装置）
１０  制御部（制御手段）
１７  記憶装置（記憶手段）
２１  画像データ
２２  視認管理情報
２９ａ，２９ｂ  撮像装置（画像視認手段、画像視認装置）
４３  表示画像生成部（表示画像生成手段）
４４，５１  表示画像取得部（表示画像取得手段）
４５，５４  制御信号発生部
４６，５３  表示制御部（表示制御手段）
４７，５５  視認制御部
Ｇ１  通常画像
Ｇ２  反転画像
【図１】
2012242702.tif 000003
【図２】
2012242702.tif 000004
【図３】
2012242702.tif 000005
【図４】
2012242702.tif 000006
【図５】
2012242702.tif 000007
【図６】
2012242702.tif 000008
【図７】
2012242702.tif 000009
【図８】
2012242702.tif 000010
【図９】
2012242702.tif 000011
【図１０】
2012242702.tif 000012
【図１１】
2012242702.tif 000013
【図１２】
2012242702.tif 000014
【図１３】
2012242702.tif 000015
【図１４】
2012242702.tif 000016
【図１５】
2012242702.tif 000017
【図１６】
2012242702.tif 000018
【図１７】
2012242702.tif 000019
【図１８】
2012242702.tif 000020
【図１９】
2012242702.tif 000021
【図２０】
2012242702.tif 000022
【図２１】
2012242702.tif 000023